(57)【特許請求の範囲】
【請求項１】
検出対象が所定の検知範囲内に存在するか否かを検出する検出装置と、前記検出装置で検出した結果を外部へ無線通信する通信装置とを有し、
検出装置は、
前記所定の検知範囲内の前記検出対象から発せられる赤外光を電気信号に変換して、この電気信号を検知信号として出力するセンサー部と、
前記センサー部により出力される検知信号を監視するセンサー監視部と、
前記センサー監視部により監視された結果である監視情報を前記通信装置へ送信する第１の通信部とを備え、
前記通信装置は、
前記第１の通信部により送信される前記監視情報を受信する第２の通信部と、
前記第２の通信部により受信された監視情報を外部へ無線送信する第３の通信部とを備え、
前記検出装置は、
さらに、前記第３の通信部が前記監視情報を送信する際に用いることができる複数の送信周波数バンドと、前記センサー監視部の複数の監視方法とが、互いに対応付けられた周波数テーブルを備え、
前記センサー監視部は、前記第３の通信部の送信に関する情報として、前記第３の通信部が前記監視情報の送信を開始する時間である送信開始情報と、前記第３の通信部が前記監視情報の送信を終了する時間である送信終了情報と、前記第３の通信部が前記監視情報を送信する際に用いる送信周波数とに基づいて、前記検知信号を監視し、且つ、前記第３の通信部が実際に前記監視情報を送信した際の送信周波数と前記周波数テーブルとに基づいて、前記監視方法を選択し、当該選択した前記監視方法に基づいて、前記検知信号を監視する監視システム。
【請求項２】
前記通信装置は、前記第３の通信部が実際に前記監視情報を送信した際の送信周波数を測定する周波数感知部を備え、
前記センサー監視部は、前記周波数感知部により測定された送信周波数と前記周波数テーブルとに基づいて、前記監視方法を選択し、当該選択した前記監視方法に基づいて、前記検知信号を監視する請求項１に記載の監視システム。
【請求項３】
前記検出装置は、前記第３の通信部が実際に前記監視情報を送信した際の送信周波数を測定する周波数感知部を備え、
前記センサー監視部は、前記周波数感知部により測定された送信周波数と前記周波数テーブルとに基づいて、前記監視方法を選択し、当該選択した前記監視方法に基づいて、前記検知信号を監視する請求項１に記載の監視システム。
【請求項４】
検出対象が所定の検知範囲内に存在するか否かを検出する検出装置と、前記検出装置で検出した結果を外部へ無線通信する通信装置とを有し、
検出装置は、
前記所定の検知範囲内の前記検出対象から発せられる赤外光を電気信号に変換して、この電気信号を検知信号として出力するセンサー部と、
前記センサー部により出力される検知信号を監視するセンサー監視部と、
前記センサー監視部により監視された結果である監視情報を前記通信装置へ送信する第１の通信部とを備え、
前記通信装置は、
前記第１の通信部により送信される前記監視情報を受信する第２の通信部と、
前記第２の通信部により受信された監視情報を外部へ無線送信する第３の通信部とを備え、
前記検出装置は、
さらに、前記第３の通信部が前記監視情報を送信する際に用いることができる複数の電波強度レベルと、前記センサー監視部の複数の監視方法とが、互いに対応付けられた電波強度テーブルを備え、
前記センサー監視部は、前記第３の通信部の送信に関する情報として、前記第３の通信部が前記監視情報の送信を開始する時間である送信開始情報と、前記第３の通信部が前記監視情報の送信を終了する時間である送信終了情報と、前記第３の通信部が前記監視情報を送信する際の電波強度とに基づいて、前記検知信号を監視し、且つ、前記第３の通信部が実際に前記監視情報を送信した際の電波強度と前記電波強度テーブルとに基づいて、前記監視方法を選択し、当該選択した前記監視方法に基づいて、前記検知信号を監視する監視システム。
【請求項５】
前記通信装置は、前記第３の通信部が実際に前記監視情報を送信した際の電波強度を測定する電波強度感知部を備え、
前記センサー監視部は、前記電波強度感知部により測定された電波強度と前記電波強度テーブルとに基づいて、前記監視方法を選択し、当該選択した前記監視方法に基づいて、前記検知信号を監視する請求項４に記載の監視システム。
【請求項６】
前記検出装置は、前記第３の通信部が実際に前記監視情報を送信した際の電波強度を測定する電波強度感知部を備え、
前記センサー監視部は、前記電波強度感知部により測定された電波強度と前記電波強度テーブルとに基づいて、前記監視方法を選択し、当該選択した前記監視方法に基づいて、前記検知信号を監視する請求項４に記載の監視システム。
【請求項７】
検出対象が所定の検知範囲内に存在するか否かを検出装置により検出し、前記検出装置で検出した結果を通信装置により外部へ無線通信する監視方法であって、
前記検出装置が、前記所定の検知範囲内の検出対象から発せられる赤外光を電気信号に変換して、この電気信号を検知信号として出力する検知ステップと、
前記検出装置が、前記検知ステップにより出力される前記検知信号を監視する監視ステップと、
前記検出装置が、前記監視ステップにより監視された結果である監視情報を前記通信装置へ送信する第１の通信ステップと、
前記通信装置が、前記第１の通信ステップにより送信される前記監視情報を受信する第２の通信ステップと、
前記通信装置が、前記第２の通信ステップにより受信された監視情報を外部へ送信する第３の通信ステップを含み、
前記検出装置は、前記第１の通信ステップで前記検出装置が前記監視情報を送信する際に用いることができる複数の送信周波数バンドと、前記監視ステップで前記検出装置が前記検知信号を監視する複数の監視方法とが、互いに対応付けられた周波数テーブルを備え、
前記監視ステップでは、前記検出装置は、前記第３の通信部の送信に関する情報として、前記第１の通信ステップで前記検出装置が前記監視情報の送信を開始する時間である送信開始情報と、前記第１の通信ステップで前記検出装置が前記監視情報の送信を終了する時間である送信終了情報と、前記第１の通信ステップで前記検出装置が前記監視情報を送信する際に用いる送信周波数とに基づいて、前記検知信号を監視し、且つ、前記第１の通信ステップで前記検出装置が実際に前記監視情報を送信した際に用いる送信周波数と前記周波数テーブルとに基づいて、前記監視方法を選択し、当該選択した前記監視方法に基づいて、前記検知信号を監視する監視方法。
【請求項８】
検出対象が所定の検知範囲内に存在するか否かを検出装置により検出し、前記検出装置で検出した結果を通信装置により外部へ無線通信する監視方法であって、
前記検出装置が、前記所定の検知範囲内の検出対象から発せられる赤外光を電気信号に変換して、この電気信号を検知信号として出力する検知ステップと、
前記検出装置が、前記検知ステップにより出力される前記検知信号を監視する監視ステップと、
前記検出装置が、前記監視ステップにより監視された結果である監視情報を前記通信装置へ送信する第１の通信ステップと、
前記通信装置が、前記第１の通信ステップにより送信される前記監視情報を受信する第２の通信ステップと、
前記通信装置が、前記第２の通信ステップにより受信された監視情報を外部へ送信する第３の通信ステップを含み、
前記検出装置は、前記第１の通信ステップで前記検出装置が前記監視情報を送信する際に用いることができる複数の電波強度レベルと、前記監視ステップで前記検出装置が前記検知信号を監視する複数の監視方法とが、互いに対応付けられた電波強度テーブルを備え、
前記監視ステップでは、前記検出装置は、前記第３の通信部の送信に関する情報として、前記第１の通信ステップで前記検出装置が前記監視情報の送信を開始する時間である送信開始情報と、前記第１の通信ステップで前記検出装置が前記監視情報の送信を終了する時間である送信終了情報と、前記第１の通信ステップで前記検出装置が前記監視情報を送信する際の電波強度とに基づいて、前記検知信号を監視し、且つ、前記第１の通信ステップで前記検出装置が実際に前記監視情報を送信した際の電波強度と前記電波強度テーブルとに基づいて、前記監視方法を選択し、当該選択した前記監視方法に基づいて、前記検知信号を監視する監視方法。
【発明の詳細な説明】
【技術分野】
【０００１】
本発明は、監視システムおよび監視方法に関し、検出対象が所定の検知範囲内に存在するか否かを検出装置により検出し、検出装置で検出した結果を通信装置により外部へ無線通信するものに関する。
【背景技術】
【０００２】
近年、焦電タイプの人感センサーを利用して、人間やペットなどの行動を検出する監視システムが一般的に知られている。
【０００３】
この監視システムでは、検出装置にて、人感センサーを用いて、人間やペットなどの検出対象を検出して、この検出結果を無線通信装置により外部へ送信する。
【０００４】
なお、関連する技術として、例えば特許文献１には、人体検出装置ノードが、焦電型赤外線センサーにより人体を検出した情報を、親機へ送信する技術が開示されている。
【先行技術文献】
【特許文献】
【０００５】
【特許文献１】特開２００９−２８１９８１号公報（特に、段落［００５６］−［００５９］、図５）
【発明の概要】
【発明が解決しようとする課題】
【０００６】
しかしながら、前述した一般的な監視システムでは、人感センサーは、無線通信装置が送信する電波を受信すると、人間やペットがいないにもかかわらず、誤って反応してしまうという問題があった。
【０００７】
本発明は、このような事情に鑑みてなされたものであり、本発明の目的は、通信装置による無線送信が行われても、当該通信装置による無線通信を原因とする誤反応を抑止しつつ、検出対象を監視することができる監視システムを提供することにある。
【課題を解決するための手段】
【０００８】
本発明の監視システムは、検出対象が所定の検知範囲内に存在するか否かを検出する検出装置と、前記検出装置で検出した結果を外部へ無線通信する通信装置とを有し、検出装置は、前記所定の検知範囲内の前記検出対象から発せられる赤外光を電気信号に変換して、この電気信号を検知信号として出力するセンサー部と、前記センサー部により出力される検知信号を監視するセンサー監視部と、前記センサー監視部により監視された結果である監視情報を前記通信装置へ送信する第１の通信部とを備え、前記検出装置は、さらに、前記第３の通信部が前記監視情報を送信する際に用いることができる複数の送信周波数バンドと、前記センサー監視部の複数の監視方法とが、互いに対応付けられた周波数テーブルを備え、前記センサー監視部は、前記第３の通信部の送信に関する情報として、前記第３の通信部が前記監視情報の送信を開始する時間である送信開始情報と、前記第３の通信部が前記監視情報の送信を終了する時間である送信終了情報と、前記第３の通信部が前記監視情報を送信する際に用いる送信周波数とに基づいて、前記検知信号を監視し、且つ、前記第３の通信部が実際に前記監視情報を送信した際の送信周波数と前記周波数テーブルとに基づいて、前記監視方法を選択し、当該選択した前記監視方法に基づいて、前記検知信号を監視する。
本発明の監視システムは、検出対象が所定の検知範囲内に存在するか否かを検出する検出装置と、前記検出装置で検出した結果を外部へ無線通信する通信装置とを有し、検出装置は、前記所定の検知範囲内の前記検出対象から発せられる赤外光を電気信号に変換して、この電気信号を検知信号として出力するセンサー部と、前記センサー部により出力される検知信号を監視するセンサー監視部と、前記センサー監視部により監視された結果である監視情報を前記通信装置へ送信する第１の通信部とを備え、前記通信装置は、前記第１の通信部により送信される前記監視情報を受信する第２の通信部と、前記第２の通信部により受信された監視情報を外部へ無線送信する第３の通信部とを備え、前記検出装置は、さらに、前記第３の通信部が前記監視情報を送信する際に用いることができる複数の電波強度レベルと、前記センサー監視部の複数の監視方法とが、互いに対応付けられた電波強度テーブルを備え、前記センサー監視部は、前記第３の通信部の送信に関する情報として、前記第３の通信部が前記監視情報の送信を開始する時間である送信開始情報と、前記第３の通信部が前記監視情報の送信を終了する時間である送信終了情報と、前記第３の通信部が前記監視情報を送信する際の電波強度とに基づいて、前記検知信号を監視し、且つ、前記第３の通信部が実際に前記監視情報を送信した際の電波強度と前記電波強度テーブルとに基づいて、前記監視方法を選択し、当該選択した前記監視方法に基づいて、前記検知信号を監視する。
【０００９】
本発明の監視方法は、検出対象が所定の検知範囲内に存在するか否かを検出装置により検出し、前記検出装置で検出した結果を通信装置により外部へ無線通信する監視方法であって、前記検出装置が、前記所定の検知範囲内の検出対象から発せられる赤外光を電気信号に変換して、この電気信号を検知信号として出力する検知テップと、前記検出装置が、前記検知ステップにより出力される前記検知信号を監視する監視ステップと、前記検出装置が、前記監視ステップにより監視された結果である監視情報を前記通信装置へ送信する第１の通信ステップと、前記通信装置が、前記第１の通信ステップにより送信される前記監視情報を受信する第２の通信ステップと、前記通信装置が、前記第２の通信ステップにより受信された監視情報を外部へ送信する第３の通信ステップを含み、前記検出装置は、前記第１の通信ステップで前記検出装置が前記監視情報を送信する際に用いることができる複数の送信周波数バンドと、前記監視ステップで前記検出装置が前記検知信号を監視する複数の監視方法とが、互いに対応付けられた周波数テーブルを備え、前記監視ステップでは、前記検出装置は、前記第３の通信部の送信に関する情報として、前記第１の通信ステップで前記検出装置が前記監視情報の送信を開始する時間である送信開始情報と、前記第１の通信ステップで前記検出装置が前記監視情報の送信を終了する時間である送信終了情報と、前記第１の通信ステップで前記検出装置が前記監視情報を送信する際に用いる送信周波数とに基づいて、前記検知信号を監視し、且つ、前記第１の通信ステップで前記検出装置が実際に前記監視情報を送信した際に用いる送信周波数と前記周波数テーブルとに基づいて、前記監視方法を選択し、当該選択した前記監視方法に基づいて、前記検知信号を監視する。
本発明の監視方法は、検出対象が所定の検知範囲内に存在するか否かを検出装置により検出し、前記検出装置で検出した結果を通信装置により外部へ無線通信する監視方法であって、前記検出装置が、前記所定の検知範囲内の検出対象から発せられる赤外光を電気信号に変換して、この電気信号を検知信号として出力する検知ステップと、
前記検出装置が、前記検知ステップにより出力される前記検知信号を監視する監視ステップと、前記検出装置が、前記監視ステップにより監視された結果である監視情報を前記通信装置へ送信する第１の通信ステップと、前記通信装置が、前記第１の通信ステップにより送信される前記監視情報を受信する第２の通信ステップと、前記通信装置が、前記第２の通信ステップにより受信された監視情報を外部へ送信する第３の通信ステップを含み、前記検出装置は、前記第１の通信ステップで前記検出装置が前記監視情報を送信する際に用いることができる複数の電波強度レベルと、前記監視ステップで前記検出装置が前記検知信号を監視する複数の監視方法とが、互いに対応付けられた電波強度テーブルを備え、前記監視ステップでは、前記検出装置は、前記第３の通信部の送信に関する情報として、前記第１の通信ステップで前記検出装置が前記監視情報の送信を開始する時間である送信開始情報と、前記第１の通信ステップで前記検出装置が前記監視情報の送信を終了する時間である送信終了情報と、前記第１の通信ステップで前記検出装置が前記監視情報を送信する際の電波強度とに基づいて、前記検知信号を監視し、且つ、前記第１の通信ステップで前記検出装置が実際に前記監視情報を送信した際の電波強度と前記電波強度テーブルとに基づいて、前記監視方法を選択し、当該選択した前記監視方法に基づいて、前記検知信号を監視する。
【発明の効果】
【００１０】
本発明にかかる監視システムおよび監視方法によれば、通信装置による無線送信が行われても、当該通信装置による無線通信を原因とする誤反応を抑止しつつ、検出対象を監視することができる。
【図面の簡単な説明】
【００１１】
【図１】本発明の第１の実施の形態における監視システムの構成を模式的に示す外観模式図である。
【図２】本発明の第１の実施の形態における監視システムの構成を示すブロック図である。
【図３】本発明の第１の実施の形態における監視システムの動作の流れを示すフロー図である。
【図４】本発明の第１の実施の形態における監視システムにおける監視方法の設定例を説明するための図である。
【図５】一般的な監視システムの構成を示すブロック図である。
【図６】一般的な監視システムの動作の流れを示すフロー図である。
【図７】一般的な監視システムにおける監視方法の設定例を説明するための図である。
【図８】本発明の第２の実施の形態における監視システムの構成を示すブロック図である。
【図９】本発明の第２の実施の形態における監視システムの動作の流れを示すフロー図である。
【図１０】本発明の第２の実施の形態における監視システムにおける監視方法の設定例を説明するための図である。
【図１１】本発明の第３の実施の形態における監視システムの構成を示すブロック図である。
【図１２】本発明の第３の実施の形態における監視システムの動作の流れを示すフロー図である。
【図１３】複数の無線通信装置が検出装置の周囲に存在する場合について説明するためのブロック図である。
【図１４】本発明の第４の実施の形態における監視システムの構成を示すブロック図である。
【図１５】本発明の第４の実施の形態における監視システムの動作の流れを示すフロー図である。
【図１６】複数の無線通信装置が検出装置の周囲に存在する場合について説明するためのブロック図である。
【図１７】本発明の第５の実施の形態における監視システムの構成を示すブロック図である。
【図１８】本発明の第５の実施の形態における監視システムの動作の流れを示すフロー図である。
【図１９】本発明の第１の実施の形態における監視システムの構成の実施例を示すブロック図である。
【図２０】本発明の第１の実施の形態における監視システムにおける監視方法の実施例を説明するための図である。
【発明を実施するための形態】
【００１２】
＜第１の実施の形態＞
本発明の第１の実施の形態における監視システム１０００の構成について、図に基づいて説明する。
【００１３】
図１は、本発明の第１の実施の形態における監視システム１０００の構成を模式的に示す外観模式図である。図２は、監視システム１０００の構成を示すブロック図である。
【００１４】
図１に示されるように、監視システム１０００は、検出装置１００と、無線通信装置２００とを含んで構成される。
【００１５】
検出装置１００は、検出対象である人間Ａ１やペットＡ２などが所定の検知範囲α内に存在するか否かを検出する。図１に示されるように、検出装置１００は、後で詳しく説明するセンサー部１１０を含んでいる。なお、センサー部１１０は、例えば、焦電タイプの人感センサーである。ここで、焦電タイプの人感センサーは、焦電効果によって赤外線を含む光を検出するものである。また、焦電効果とは、温度の変化に応じて、自発分極を持つセラミック（チタン酸ジルコン酸鉛（ＰＺＴ）など）の表面に帯電する電荷が増減する現象をいう。なお、検出装置１００の上は、無線通信装置２００を載置する台として用いることができる。このため、検出装置１００をセンサー台と呼ぶことがある。
【００１６】
通信装置２００は、検出装置１００で検出した結果を外部へ無線通信する。
【００１７】
また、図１に示されるように、検出装置１００および無線通信装置２００は、互いに情報通信をし合う。
【００１８】
次に、監視システム１０００中の検出装置１００および無線通信装置２００の構成について、図２を用いて、詳しく説明する。
【００１９】
まず、監視システム１０００中の検出装置１００の構成を説明する。
【００２０】
図２に示されるように、検出装置１００は、センサー部１１０と、センサー監視部１２０と、メモリ部１３０と、無線通信装置インターフェース（Inter Face：以下、単にＩＦと称する。）部１４０と、周波数テーブル１５０と、制御部１７０とを含んで構成されている。なお、無線通信装置ＩＦ部１３０は、本発明の第１の通信部に相当する。
【００２１】
センサー部１１０は、所定の検知範囲α内の検出対象（例えば人間Ａ１）から発せられる赤外光を電気信号に変換して、この電気信号を検知信号として出力する。
【００２２】
センサー監視部１２０は、センサー部１１０により出力される検知信号を監視する。
【００２３】
メモリ部１３０は、センサー監視部１２０により監視された結果である監視情報を記録し、これを蓄積する。
【００２４】
無線通信装置ＩＦ部１４０は、後述の無線通信装置２００の検出装置ＩＦ部２４０と通信接続する。なお、無線通信装置ＩＦ１４０部と検出装置ＩＦ部２４０との間の通信は、一般的に有線により接続される。例えば、無線通信装置２００を検出装置１００の上に載置すると、無線通信装置ＩＦ部１４０と検出装置ＩＦ部２４０とが有線により接続される。無線通信装置ＩＦ部１４０は、センサー監視部１２０により監視された結果である監視情報を検出装置ＩＦ部２４０へ送信する。また、無線通信装置ＩＦ部１４０は、検出装置ＩＦ部２４０から送信される情報を受信する。
【００２５】
図２に示されるように、周波数テーブル１５０には、後述の無線通信装置２００の送信部２４０が監視情報を外部に送信する際に用いることができる送信周波数の帯域である複数の送信周波数バンドと、センサー監視部１２０の複数の監視方法とが、互いに対応付けて記憶されている。すなわち、例えば、周波数バンドとして、バンド１、バンド２、バンド３、バンド４、・・・が設定されている。そして、バンド１には周波数○○ＭＨｚと監視方法１、バンド２には周波数△△ＭＨｚと監視方法２、バンド３には周波数□□ＧＨｚと監視方法３、バンド４には××ＧＨｚと監視方法４が、それぞれ対応付けられている。
【００２６】
制御部１７０は、検出装置１００全体の制御を行う。
【００２７】
次に、監視システム１０００中の無線通信装置２００の構成を説明する。
【００２８】
図２に示されるように、無線通信装置２００は、送信部２１０と、周波数感知部２２０と、検出装置ＩＦ部２４０と、制御部２５０とを含んで構成されている。なお、検出装置ＩＦ部２３０は、本発明の第２の通信部に相当する。送信部２４０は、本発明の第３の通信部に相当する。
【００２９】
送信部２１０は、検出装置ＩＦ部２３０により受信される監視情報を外部へ無線通信する。
【００３０】
周波数感知部２２０は、送信部２１０が実際に監視情報を外部へ無線送信した際の送信周波数を測定する。
【００３１】
検出装置ＩＦ部２４０は、検出装置１００の無線通信装置ＩＦ１４０部と通信接続される。なお、前述の通り、無線通信装置ＩＦ１４０部と検出装置ＩＦ部２４０との間の通信は、一般的に有線により接続されている。
【００３２】
制御部２５０は、無線通信装置２００全体を制御する。
【００３３】
次に、監視システム１０００の動作について図に基づいて説明する。
【００３４】
図３は、監視システム１０００の動作の流れを示すフロー図である。ここでは、無線通信装置２００が、検出装置１００の上に置かれた状態であるとする。そして、検出装置１００と無線通信装置２００が、無線通信装置ＩＦ部１４０および検出装置ＩＦ部２４０を介して、互いに通信できるように有線により接続されているものとする。
【００３５】
図３に示されるように、まず、検出装置１００の無線通信装置ＩＦ部１４０が、無線通信装置２００の送信周波数と、電波送信開始情報と、電波送信終了情報とを受信する（Ｓ３１１）。この送信周波数は、後述のＳ３２３で送信部２１０が外部へ監視情報を送信する際に実際に用いる周波数である。
【００３６】
なお、後述の通り、無線通信装置２００の検出装置ＩＦ部２４０は、無線通信装置２００の送信部２１０が外部へ監視情報を送信するタイミングに、無線通信装置２００の送信周波数および電波送信開始情報を、検出装置１００の無線通信装置ＩＦ部１４０に送信する。また、無線通信装置２００の検出装置ＩＦ部２４０は、無線通信装置２００の送信部２１０が外部へ監視情報を送信することを終了するタイミングに、電波送信終了情報を、検出装置１００の無線通信装置ＩＦ部１４０に送信する。したがって、検出装置１００の無線通信装置ＩＦ部１４０は、無線通信装置２００が監視情報を外部へ送信するタイミングで、無線通信装置２００の送信周波数と、電波送信開始情報を受信する。また、検出装置１００の無線通信装置ＩＦ部１４０は、無線通信装置２００が監視情報を外部へ送信を終了するタイミングで、電波送信終了情報を受信する。
【００３７】
次に、検出装置１００の制御部１７０が、無線通信装置ＩＦ部１４０により受信した送信周波数に基づいて、周波数テーブル１５０を用いて、センサー監視部１２０の監視方法を特定する（Ｓ３１２）。より具体的には、制御部１７０は、受け取った送信周波数に対応する周波数バンドを周波数テーブル１５０から抽出し、この周波数バンドに対応する監視方法を特定する。
【００３８】
センサー部１１０は、所定の検知範囲α内の検知対象を検知して、検知信号をセンサー監視部１２０へ出力する（Ｓ３１３）。より具体的には、センサー部１１０は、所定の検知範囲α内の検出対象（例えば人間Ａ１）から発せられる赤外光を電気信号に変換して、この電気信号を検知信号としてセンサー監視部１２０へ出力する。なお、センサー部１１０は、図３の動作順にかかわらず、常に動作している。センサー監視部１２０は、無線通信装置２００が監視情報を外部へ送信するタイミングで、Ｓ３１２で特定された監視方法を実施する。
【００３９】
次に、センサー監視部１２０は、センサー部１１０により出力される検知信号を、Ｓ３１２で特定された監視方法を用いて、監視する（Ｓ３１４）。すなわち、例えば、Ｓ３１２で、制御部１７０が監視方法１を特定した場合、センサー監視部１２０は、監視方法１を用いて、検知信号を監視する。そして、センサー監視部１２０は、監視された結果として、監視情報を制御部１７０へ出力する。なお、センサー監視部１２０も、図３の動作順にかかわらず、センサー部１１０と同様に、常に動作している。
【００４０】
制御部１７０は、センサー監視部１２０から出力される監視情報をメモリ部１３０に記録する（Ｓ３１５）。このようにして、センサー監視部１２０による監視情報が、メモリ部１３０に蓄積される。なお、制御部１７０は、図３の動作順にかかわらず、センサー監視部１２０から監視情報が入力される度に、順次、監視情報をメモリ部１３０に記録する。
【００４１】
一方、無線通信装置２００は、検出装置１００に対して、監視情報を送信するように、送信要求をする（Ｓ３２１）。具体的には、制御部２５０が、検出装置ＩＦ部２４０に対して、検出装置１００への送信要求を送るように指示をする。そして、この指示に従って、検出装置ＩＦ部２４０が、検出装置１００の無線通信装置ＩＦ部１４０へ、送信要求を送る。
【００４２】
検出装置１００では、無線通信装置ＩＦ部１４０が、無線通信装置２００の検出装置ＩＦ部２４０から送信要求を受信する（Ｓ３１６）。無線通信装置ＩＦ部１４０は、制御部１７０へ送信要求を出力する。
【００４３】
次に、検出装置１００は、無線通信装置２００に対して、監視情報を送信する（Ｓ３１７）。
【００４４】
具体的には、制御部１７０が、無線通信装置２００からの送信要求に従って、監視情報をメモリ部１３０から抽出する。また、制御部１７０は、抽出した監視情報を、無線通信装置２００へ送信するように、無線通信装置ＩＦ部１４０へ指示する。そして、無線通信装置ＩＦ部１４０が、制御部１７０の指示に従って、監視情報を無線通信装置２００の検出装置ＩＦ部２４０へ送信する。
【００４５】
次に、無線通信装置２００は、監視情報を検出装置１００から受信する（Ｓ３２２）。具体的には、検出装置ＩＦ部２４０が、無線通信装置ＩＦ部１４０から監視情報を受信する。
【００４６】
次に、無線通信装置２００は、監視情報を外部へ送信するとともに、当該無線通信装置２００の送信周波数と電波送信開始情報を検出装置１００へ送信し、監視情報の送信終了時に電波送信終了情報を検出装置１００へ送信する（Ｓ３２３）。
【００４７】
具体的には、制御部２５０が、検出装置ＩＦ部２４０から監視情報を受け取ると、送信部２１０に対して、外部へ監視情報を送信する指示をする。併せて、制御部２５０は、検出装置ＩＦ部２４０に対して、検出装置１００へ当該無線通信装置２００の送信周波数と電波送信開始情報を送信するように、指示する。また、制御部２５０は、検出装置ＩＦ部２４０に対して、送信部２１０による送信が終了する時に、送信終了情報を検出装置１００へ送信するように、指示する。
【００４８】
ここで、無線通信装置２００の送信周波数は、前述の通り、送信部２１０が外部へ監視情報を送信する際に実際に用いる周波数である。また、電波送信開始情報は、送信部２１０が監視情報の送信を開始する時間である。送信終了情報は、送信部２１０が監視情報の送信を終了する時間である。
【００４９】
送信部２１０は、制御部２５０の指示に従って、監視情報を外部へ送信する。また、この送信のタイミングに合わせて、検出装置ＩＦ部２４０が、制御部２５０の指示に従って、当該無線通信装置２００の送信周波数と電波送信開始情報を、検出装置１００の無線通信装置ＩＦ部１４０へ送信する。また、検出装置ＩＦ部２４０が、送信部２１０による送信が終了する時に、制御部２５０の指示に従って、電波送信終了情報を、検出装置１００の無線通信装置ＩＦ部１４０へ送信する。
【００５０】
そして、前述のＳ３１１の通り、検出装置１００が、Ｓ３２３で無線通信装置２００により送信された無線通信装置２００の送信周波数と、電波送信開始情報と、電波送信終了情報とを受信する。
【００５１】
以降、Ｓ３１１〜Ｓ３１７、Ｓ３２１〜Ｓ３２３の処理を繰り返す。
【００５２】
次に、監視システム１０００における監視方法の設定例について説明する。図４は、監視システム１０００の監視方法の設定例を説明するための図である。
【００５３】
前述の通り、複数の監視方法１〜４が、周波数テーブル１５０に設定されている。図４には、その監視方法１〜４の設定例を示す。
【００５４】
図４に示されるように、監視方法１〜４には、それぞれ異なる監視停止区間が設けられている。監視停止区間とは、センサー監視部１２０が、センサー部１１０により出力される検知信号を監視することを停止する区間をいう、なお、監視方法４には、０（ゼロ）の監視停止区間が設定されている。
【００５５】
また、図４に示されるように、各監視方法の各監視停止区間の開始時間は、無線通信装置２００の検出装置ＩＦ部２４０が当該無線通信装置２００の送信周波数と電波送信開始情報を、検出装置１００の無線通信装置ＩＦ部１４０へ送信するタイミングに合わせて設定されている。
【００５６】
図４には、センサー部１１０により出力される検知信号の一例が示されている。この検知信号には、検知対象を検知した出力ａ、ｃ（以下、ここでは検知対象検知ａ、ｃと称する）と、無線通信装置２００の電波を検知した出力ｂ（以下、ここでは電波による検知ｂと称する）とが、混在しているものとする。
【００５７】
図４に示されるように、監視方法１の監視停止区間は長く設定されている。また、図４に示されるように、監視方法１では、電波による検知ｂの後の検知対象検知ｃが監視停止区間に含まれる。したがって、監視方法１が制御部１７０により周波数テーブル１５０から特定された場合、センサー監視部１２０は検知対象検知ｃを監視できない。
【００５８】
一方、監視方法２の監視停止区間は、監視方法１よりも短く設定されている。監視方法２では、監視方法１と異なり、電波による検知ｂの後の検知対象検知ｃが監視停止区間外である。したがって、監視方法２が制御部１７０により周波数テーブル１５０から特定された場合、センサー監視部１２０は検知対象検知ｃを監視できる。
【００５９】
監視方法３の監視停止区間は、監視方法２よりも更に短く設定されている。監視方法３では、電波による検知ｂが監視停止区間外に生じている。したがって、監視方法３が制御部１７０により周波数テーブル１５０から特定された場合、センサー監視部１２０は検知対象検知ａ、ｃの双方を監視できるが、電波による検知ｂまで監視してしまう。
【００６０】
監視方法４の監視停止区間は、設けられていない。したがって、監視方法４が制御部１７０により周波数テーブル１５０から特定された場合、センサー監視部１２０は検知対象検知ａ、ｃの双方を監視できるが、電波による検知ｂまで監視してしまう。
【００６１】
以上の通り、センサー部１１０が図４に例示した検知信号を出力する場合、制御部１７０が周波数テーブル１５０から監視方法２を特定すれば、電波による検知ｂを監視することなく、漏れなく検知対象検知ａ、ｃの双方を監視することができる。
【００６２】
なお、無線通信装置２００の電波を検知した出力は、無線通信装置２００の送信部２１０が外部へ送信する際に用いる送信周波数によって、変化する。したがって、周波数テーブル１５０に、無線通信装置２００の送信部２１０が外部へ送信する際に用いる送信周波数の帯域である複数の送信周波数バンドを予め用意しておき、これら複数の送信周波数バンドに合わせた監視方法を設定し、さらに制御部１７０が無線送信装置２００の送信部２１０が実際に送信する送信周波数に基づいて監視方法を特定することで、無線通信装置２００の送信部２１０から出力される電波による検知信号を監視することなく、検知対象を検知した検知信号を監視することができる。
【００６３】
次に、本発明の実施の形態１における監視システム１０００との対比を行うため、一般的な監視システム２０００について説明する。
【００６４】
図５は、監視システム２０００の構成を示すブロック図である。なお、図５では、図１〜４で示した各構成要素と同等の構成要素には、図１〜４に示した符号と同等の符号を付している。
【００６５】
図５に示されるように、監視システム２０００は、検出装置１００Ａと無線通信装置２００Ａを含んで構成されている。また、図１を用いた説明と同様に、無線通信装置２００Ａは、センサー台とも呼ばれる検出装置２００Ａの上に載置することができる。また、検出装置１００Ａは、検出対象である人間Ａ１などが所定の検知範囲α内に存在するか否かを検出する。また、通信装置２００Ａは、検出装置１００Ａで検出した結果を外部へ無線通信する。
【００６６】
図５に示されるように、検出装置１００Ａは、センサー部１１０と、センサー監視部１２０Ａと、メモリ部１３０と、無線通信装置ＩＦ部１４０と、制御部１７０とを含んで構成されている。
【００６７】
ここで、図２と図５を対比する。図２では、周波数テーブル１５０が検出装置１００に設けられ、周波数感知部２２０が無線通信装置２００に設けられている。これに対して、図５では、周波数テーブル１５０も周波数感知部２２０も設けられていない。この点で両者は相違する。
【００６８】
次に、監視システム２０００の動作について図に基づいて説明する。
【００６９】
図６は、監視システム１０００の動作の流れを示すフロー図である。
【００７０】
ここで、図３と図６を対比する。図６のＳ６１３〜Ｓ６１７は、図３のＳ３１３〜Ｓ３１７に対応する。図６のＳ６２１およびＳ６２２は、図３のＳ３２１およびＳ３２２に対応する。したがって、図３は、Ｓ３１１、Ｓ３１２およびＳ６２３を含んでいる点で、これらに相当する処理を含まない図６と相違する。なお、以下では、図３の各処理と同等の処理は、簡単な説明とする。
【００７１】
ここでは、無線通信装置２００Ａが、検出装置１００Ａの上に置かれた状態であるとする。そして、検出装置１００Ａと無線通信装置２００Ａが、無線通信装置ＩＦ部１４０および検出装置ＩＦ部２４０を介して、互いに通信できるように有線により接続されているものとする。
【００７２】
図６に示されるように、まず、検出装置１００Ａのセンサー部１１０は、所定の検知範囲α内の検知対象を検知して、検知信号をセンサー監視部１２０へ出力する（Ｓ６１３）。なお、センサー部１１０は、図６の動作順にかかわらず、常に動作している。
【００７３】
次に、センサー監視部１２０Ａは、センサー部１１０により出力される検知信号を、予め設定された所定の監視方法を用いて、監視する（Ｓ６１４）。図３のＳ３１４では、センサー監視部１２０は、周波数テーブル１５０で設定された複数の監視方法の中から特定された監視方法を用いて検知信号を監視していた。これに対して、図６のＳ６１４では、センサー監視部１２０Ａは、予め設定された１つの監視方法を用いて検知信号を監視する。そして、センサー監視部１２０Ａは、監視された結果として、監視情報を制御部１７０へ出力する。なお、センサー監視部１２０Ａも、図６の動作順にかかわらず、センサー部１１０と同様に、常に動作している。
【００７４】
制御部は、センサー監視部１２０Ａから出力される監視情報をメモリ部１３０に記録する（Ｓ６１５）。このようにして、監視情報が、メモリ部１３０に蓄積される。なお、制御部１７０は、図６の動作順にかかわらず、センサー監視部１２０Ａから監視情報が入力される度に、順次、監視情報をメモリ部１３０に記録する。
【００７５】
一方、無線通信装置２００Ａは、検出装置１００Ａに対して、監視情報を送信するように、送信要求をする（Ｓ６２１）。
【００７６】
検出装置１００Ａでは、無線通信装置ＩＦ部１４０が、無線通信装置２００の検出装置ＩＦ部２４０から送信要求を受信する（Ｓ６１６）。
【００７７】
次に、検出装置１００Ａは、無線通信装置２００Ａに対して、監視情報を送信する（Ｓ６１７）。
【００７８】
次に、無線通信装置２００Ａは、監視情報を検出装置１００Ａから受信する（Ｓ６２２）。
【００７９】
そして、無線通信装置２００Ａは、監視情報を外部へ送信するとともに、電波送信開始情報を検出装置１００へ送信し、監視情報の送信終了時に電波送信終了情報を検出装置１００へ送信する（Ｓ６２３）。
【００８０】
具体的には、制御部２５０が、検出装置ＩＦ部２４０から監視情報を受け取ると、送信部２１０に対して、外部へ監視情報を送信する指示をする。併せて、制御部２５０は、検出装置ＩＦ部２４０に対して、検出装置１００へ電波送信開始情報を送信するように、指示する。また、制御部２５０は、検出装置ＩＦ部２４０に対して、送信部２１０による送信が終了する時に、電波送信終了情報を検出装置１００へ送信するように、指示する。
【００８１】
そして、送信部２１０は、制御部２５０の指示に従って、監視情報を外部へ送信する。また、この送信のタイミングに合わせて、検出装置ＩＦ部２４０が、制御部２５０の指示に従って、電波送信開始情報を、検出装置１００の無線通信装置ＩＦ部１４０へ送信する。また、検出装置ＩＦ部２４０が、送信部２１０による送信が終了する時に、制御部２５０の指示に従って、電波送信終了情報を、検出装置１００の無線通信装置ＩＦ部１４０へ送信する。なお、図３に図示しないが、検出装置１００Ａ側では、無線通信装置２００Ａにより送信される電波送信開始情報および電波開始終了情報を、送信部２１０の送信開始時および送信終了時に受信する。
【００８２】
ここで、図３のＳ３２３では、無線通信装置２００は、監視情報を外部へ送信するともに、当該無線通信装置２００の送信周波数、電波送信開始情報および電波送信終了情報を検出装置１００へ送信していた。これに対して、図６のＳ６２３では、無線通信装置２００Ａは、当該無線通信装置２００Ａの送信部２１０の送信周波数を検出装置１００Ａへ送信しない。この点で、図３のＳ３２３と図６のＳ６２３は相違する。
【００８３】
以降、S６１３〜Ｓ６１７、Ｓ６２１〜Ｓ６２３の処理を繰り返す。
【００８４】
次に、監視システム２０００における監視方法の設定例について説明する。図７は、監視システム２０００の監視方法の設定例を説明するための図である。
【００８５】
ここで、図７と図４を比較する。図４では、複数の監視方法１〜４が周波数テーブル１５０に設定されていることに対応して、監視方法１〜４の設定例を示した。これに対して、監視システム２０００には予め１つの監視方法しか設定されていないため、図７では、その１つの監視方法の設定例のみを示している。
【００８６】
図７に示されるように、所定の監視方法では、監視停止区間の開始時間は、無線通信装置２００Ａから電波送信開始時間が送信されるタイミングに合わせて設定されている。また、監視停止区間は、一律に一定時間となるように予め設定されている。
【００８７】
図７には、図４と同様に、センサー部１１０により出力される検知信号の一例が示されている。この検知信号には、検知対象を検知した出力ｄ、ｆ（以下、ここでは検知対象検知ｄ、ｆと称する）と、無線通信装置２００の電波を検知した出力ｅ（以下、ここでは電波による検知ｅと称する）とが、混在しているものとする。
【００８８】
図７に示されるように、監視システム２０００では、一定時間の監視停止区間を有する１つの監視方法しか設定されていない。したがって、図７に示されるように、監視停止区間内に電波による検知ｅを含めることができても、その後の検知対象検知ｆまでもが監視停止区間に含まれてしまうことがある。この場合、センサー監視部１２０は検知対象検知ｆを監視できない。
【００８９】
このように、一般的な監視システム２０００では、一定時間の監視停止区間を有する１つの監視方法しか設定されていないため、無線通信装置２００Ａから出力される電波を要因とする誤検知を回避できても、センサー部１１０により出力される検知信号によっては、本来、検知したい検知対象の検知も無視することとなり、検知対象の正確な動きを監視できない場合が生じる。
【００９０】
これに対して、前述の通り、本発明の第１の実施の形態における監視システム１０００では、周波数テーブル１５０に、無線通信装置２００の送信部２１０が外部へ送信する際に用いる送信周波数の帯域である複数の送信周波数バンドを予め用意しておき、これら複数の送信周波数バンドに合わせた監視方法を設定し、さらに制御部１７０が無線送信装置２００の送信部２１０が実際に送信する送信周波数に基づいて監視方法を特定している。これにより、無線通信装置２００の送信部２１０から出力される電波による検知信号を監視することなく、検知対象を検知した検知信号を監視することができる。したがって、本発明の第１の実施の形態における監視システム１０００では、無線通信装置の電波を検知した出力を監視することなく、本来、監視すべき検知対象を検知した出力を正確に監視することができる。
【００９１】
以上の通り、本発明の第１の実施の形態における監視システム１０００は、検出装置１００と、無線通信装置２００（通信装置）を有する。検出装置１００は、検出対象（例えば、人物Ａ１、ペットＡ２）が所定の検知範囲α内に存在するか否かを検出する。無線通信装置２００は、検出装置１００で検出した結果を外部へ無線通信する。また、検出装置１００は、センサー部１１０と、センサー監視部１２０と、無線通信装置ＩＦ部１４０（第１の通信部）とを備える。センサー部１１０は、所定の検知範囲α内の検出対象Ａ１、Ａ２から発せられる赤外光を電気信号に変換して、この電気信号を検知信号として出力する。センサー監視部１２０は、センサー部１１０により出力される検知信号を監視する。無線通信装置ＩＦ部１４０は、センサー監視部１２０により監視された結果である監視情報を無線通信装置２００へ送信する。無線通信装置２００は、検出装置ＩＦ部２４０（第２の通信部）と、送信部２１０（第３の通信部）とを備える。検出装置ＩＦ部２４０は、無線通信装置ＩＦ部１４０により送信される監視情報を受信する。送信部２１０は、検出装置ＩＦ部２４０により受信された監視情報を外部へ無線送信する。そして、センサー監視部１２０は、送信部２１０の送信に関する情報に基づいて、センサー部１２０により出力される検知信号を監視する。
【００９２】
このように、センサー部１１０により出力される検知信号は、センサー監視部１２０により監視される。センサー監視部１２０により監視された結果は、監視情報として、無線通信装置ＩＦ部１４０および検出装置ＩＦ部２４０を介して、無線通信装置２００へ入力される。そして、無線通信装置２００の送信部１４０が、監視情報を外部へ無線送信する。このとき、センサー部１１０は、送信部１４０により無線送信される電波を検出してしまう。したがって、このままでは、センサー監視部１２０は、本来、監視すべき検出対象に基づく検知信号だけでなく、送信部１４０により無線送信される電波までも、監視してしまう。この結果、監視システムの誤反応を招いてしまう場合がある。
【００９３】
しかしながら、本発明の第１の実施の形態における監視システム１０００では、センサー監視部１２０は、送信部２１０の送信に関する情報に基づいて、センサー部１２０により出力される検知信号を監視する。したがって、センサー監視部１２０は、送信部２１０の送信に影響を受けないように、検知信号を監視することができる。この結果、監視システム１０００によれば、無線通信装置２００による無線送信が行われても、当該無線通信装置２００による無線通信を原因とする誤反応を抑止しつつ、検出対象を監視することができる。
【００９４】
また、本発明の第１の実施の形態における監視システム１０００において、送信部２１０の送信に関する情報は、送信部２１０が監視情報の送信を開始する時間である電波送信開始情報と、送信部２１０が監視情報の送信を終了する時間である電波送信終了情報と、送信部２１０が監視情報を送信する際に用いる送信周波数である。
【００９５】
無線通信装置２００の電波がセンサー部１２０により検知された際の出力は、無線通信装置２００の送信部２１０が外部へ送信する際に用いる送信周波数によって、変化することが知られている。また、検出装置１００は、電波送信開始時間と電波送信終了時間により、無線通信装置２００の送信部２１０により監視情報が送信されている期間を知ることができる。したがって、センサー監視部１２０は、送信部２１０の送信に関する情報として、送信部２１０が監視情報を送信する際に用いる送信周波数と、電波送信開始時間と、電波送信終了時間に基づいて、検知信号を監視することにより、より正確に、無線通信装置２００による無線通信を原因とする誤反応を抑止しつつ、検出対象を継続して監視することができる。
【００９６】
本発明の第１の実施の形態における監視システム１０００において、検出装置１００は、周波数テーブル１５０をさらに備える。この周波数テーブル１５０は、送信部２１０が監視情報を送信する際に用いることができる複数の送信周波数バンドと、センサー監視部１２０の複数の監視方法とが、互いに対応付けられている。そして、センサー監視部１２０は、送信部２１０が実際に監視情報を送信した際の送信周波数と周波数テーブル１５０とに基づいて、監視方法を選択し、当該選択した監視方法に基づいて、センサー部１１０により出力される検知信号を監視する。
【００９７】
これにより、周波数テーブル１５０には、送信周波数バンドと、これに対応した監視方法の様々な組合せを設定することができる。また、センサー監視部１２０は、予め周波数テーブル１５０に用意された複数の組合せから、送信部２１０が実際に監視情報を送信した際の送信周波数に適した監視方法を選択し、この監視方法で検知信号を監視できる。この結果、センサー監視部１２０は、より正確に、無線通信装置２００による無線通信を原因とする誤反応を抑止しつつ、検出対象を継続して監視することができる。
【００９８】
本発明の第１の実施の形態における監視システム１０００において、無線通信装置２００は、周波数感知部２２０をさらに備える。この周波数感知部２２０は、送信部２１０が実際に監視情報を送信した際の送信周波数を測定する。そして、センサー監視部１２０は、周波数感知部２２０により測定された送信周波数と周波数テーブル１５０とに基づいて、監視方法を選択し、当該選択した監視方法に基づいて、センサー部１１０により出力された検知信号を監視する。
【００９９】
これにより、センサー監視部１２０は、無線通信装置２００の周波数感知部２２０による送信周波数の実測値を用いて、監視方法を選択することができる。この結果、センサー監視部１２０は、予め周波数テーブル１５０に用意された複数の組合せから、無線通信装置２００の周波数感知部２２０による送信周波数の実測値に適した監視方法を選択し、この監視方法で検知信号をより正確に監視できる。
【０１００】
＜第２の実施の形態＞
本発明の第２の実施の形態における監視システム３０００の構成について、図に基づいて説明する。
【０１０１】
図８は、本発明の第２の実施の形態における監視システム３０００の構成を示すブロック図である。
【０１０２】
図８に示されるように、監視システム３０００は、検出装置１００Ｂと、無線通信装置２００Ｂとを含んで構成される。また、図１を用いた説明と同様に、無線通信装置２００Ｂは、センサー台とも呼ばれる検出装置２００Ｂの上に載置することができる。また、検出装置１００Ｂは、検出対象である人間Ａ１などが所定の検知範囲α内に存在するか否かを検出する。また、通信装置２００Ｂは、検出装置１００Ｂで検出した結果を外部へ無線通信する。
【０１０３】
図８に示されるように、検出装置１００Ｂは、センサー部１１０と、センサー監視部１２０Ｂと、メモリ部１３０と、無線通信装置ＩＦ部１４０と、電波強度テーブル１６０と、制御部１７０とを含んで構成されている。また、無線通信装置２００Ｂは、送信部２１０と、電波強度感知部２３０と、検出装置ＩＦ部２４０と、制御部２５０とを含んで構成されている。
【０１０４】
ここで、図２と図８を対比する。図２では、周波数テーブル１５０が検出装置１００に設けられ、周波数感知部２２０が無線通信装置２００に設けられている。これに対して、図８では、電波強度テーブル１６０が検出装置１００Ｂに設けられ、電波感知部２３０が無線送信装置２００Ｂに設けられている。この点で両者は相違する。
【０１０５】
図８に示されるように、電波強度テーブル１６０には、無線通信装置２００の送信部２４０が監視情報を送信する際の電波強度と、センサー監視部１２０Ｂの複数の監視方法とが、互いに対応付けて記憶されている。すなわち、例えば、電波強度レベルとして、レベル１、レベル２、レベル３、・・・、レベルＸが設定されている。そして、レベル１には出力電波強度××ｄＢｍ以上と監視方法Ａ、レベル２には出力電波強度××〜○○ｄＢｍと監視方法Ｂ、レベル３には出力電波強度○○〜△△ｄＢｍと監視方法Ｃ、レベルＸには□□ｄＢｍ以下と監視方法Ｄが、それぞれ対応付けられている。
【０１０６】
電波強度感知部２３０は、送信部２１０が実際に監視情報を送信した際の電波強度を測定する。
【０１０７】
次に、監視システム３０００の動作について図に基づいて説明する。
【０１０８】
図９は、監視システム３０００の動作の流れを示すフロー図である。
【０１０９】
ここで、図３と図９を対比する。図９のＳ９１１、Ｓ９１２およびＳ９２３の処理は、図３のＳ３１１、Ｓ３１２およびＳ３２３の処理と異なる。これら以外の基本的な処理は、同等である。なお、以下では、図３の各処理と同等の処理は、簡単な説明とする。
【０１１０】
ここでは、無線通信装置２００Ｂが、検出装置１００Ｂの上に置かれた状態であるとする。そして、検出装置１００Ｂと無線通信装置２００Ｂが、無線通信装置ＩＦ部１４０および検出装置ＩＦ部２４０を介して、互いに通信できるように有線により接続されているものとする。
【０１１１】
図９に示されるように、まず、検出装置１００Ｂの無線通信装置ＩＦ部１４０が、無線通信装置１００Ｂの出力電波強度と、電波送信開始情報と、電波送信終了情報とを受信する（Ｓ９１１）。この出力電波強度は、後述のＳ９２３で送信部２１０が外部へ監視情報を送信する際に実際に用いる電波強度である。
【０１１２】
なお、後述の通り、無線通信装置２００Ｂの検出装置ＩＦ部２４０は、無線通信装置２００Ｂの送信部２１０が外部へ監視情報を送信するタイミングに、無線通信装置２００Ｂの出力電波強度および電波送信開始情報を、検出装置１００の無線通信装置ＩＦ部１４０に送信する。また、無線通信装置２００Ｂの検出装置ＩＦ部２４０は、無線通信装置２００Ｂの送信部２１０が外部へ監視情報を送信することを終了するタイミングに、電波送信終了情報を、検出装置１００Ｂの無線通信装置ＩＦ部１４０に送信する。したがって、検出装置１００Ｂの無線通信装置ＩＦ部１４０は、無線通信装置２００Ｂが監視情報を外部へ送信するタイミングで、無線通信装置２００Ｂの出力電波強度と、電波送信開始情報を受信する。また、検出装置１００Ｂの無線通信装置ＩＦ部１４０は、無線通信装置２００Ｂが監視情報を外部へ送信を終了するタイミングで、電波送信終了情報を受信する。
【０１１３】
次に、検出装置１００Ｂの制御部１７０が、無線通信装置ＩＦ部１４０により受信した出力電波強度に基づいて、電波強度テーブル１６０を用いて、センサー監視部１２０Ｂの監視方法を特定する（Ｓ９１２）。より具体的には、制御部１７０は、受け取った出力電波強度に対応する電波強度レベルを電波強度テーブル１６０から抽出し、この電波強度レベルに対応する監視方法を特定する。
【０１１４】
センサー部１１０は、所定の検知範囲α内の検知対象を検知して、検知信号をセンサー監視部１２０Ｂへ出力する（Ｓ９１３）。なお、センサー部１１０は、図９の動作順にかかわらず、常に動作している。
【０１１５】
次に、センサー監視部１２０Ｂは、センサー部１１０により出力される検知信号を、Ｓ９１２で特定された監視方法を用いて、監視する（Ｓ９１４）。すなわち、例えば、Ｓ９１２で、制御部１７０が監視方法１を特定した場合、センサー監視部１２０Ｂは、監視方法１を用いて、検知信号を監視する。そして、センサー監視部１２０Ｂは、監視された結果として、監視情報を制御部１７０へ出力する。なお、センサー監視部１２０Ｂは、図９の動作順にかかわらず、センサー部１１０と同様に、常に動作している。センサー監視部１２０Ｂは、無線通信装置２００Ｂが監視情報を外部へ送信するタイミングで、Ｓ９１２で特定された監視方法を実施する。
【０１１６】
制御部１７０は、センサー監視部１２０Ｂから出力される監視情報をメモリ部１３０に記録する（Ｓ９１５）。このようにして、監視情報が、メモリ部１３０に蓄積される。なお、制御部１７０は、図９の動作順にかかわらず、センサー監視部１２０Ｂから監視情報が入力される度に、順次、監視情報をメモリ部１３０に記録する。
【０１１７】
一方、無線通信装置２００Ｂは、検出装置１００Ｂに対して、監視情報を送信するように、送信要求をする（Ｓ９２１）。
【０１１８】
検出装置１００Ｂでは、無線通信装置ＩＦ部１４０が、無線通信装置２００Ｂの検出装置ＩＦ部２４０から送信要求を受信する（Ｓ９１６）。
【０１１９】
次に、検出装置１００Ｂは、無線通信装置２００Ｂに対して、監視情報を送信する（Ｓ９１７）。
【０１２０】
次に、無線通信装置２００Ｂは、監視情報を検出装置１００Ｂから受信する（Ｓ９２２）。
【０１２１】
無線通信装置２００Ｂは、監視情報を外部へ送信するとともに、当該無線通信装置２００Ｂの出力電波強度と電波送信開始情報を検出装置１００Ｂへ送信し、監視情報の送信終了時に電波送信終了情報を検出装置１００Ｂへ送信する（Ｓ９２３）。
【０１２２】
具体的には、制御部２５０が、検出装置ＩＦ部２４０から監視情報を受け取ると、送信部２１０に対して、外部へ監視情報を送信する指示をする。併せて、制御部２５０は、検出装置ＩＦ部２４０に対して、検出装置１００へ当該無線通信装置２００の出力電波強度と電波送信開始情報を送信するように、指示する。また、制御部２５０は、検出装置ＩＦ部２４０に対して、送信部２１０による送信が終了する時に、送信終了情報を検出装置１００Ｂへ送信するように、指示する。
【０１２３】
ここで、無線通信装置２００Ｂの出力電波強度は、前述の通り、送信部２１０が外部へ監視情報を送信する際に実際に用いる電波強度である。
【０１２４】
送信部２１０は、制御部２５０の指示に従って、監視情報を外部へ送信する。また、この送信のタイミングに合わせて、検出装置ＩＦ部２４０が、制御部２５０の指示に従って、当該無線通信装置２００の出力電波強度と電波送信開始情報を、検出装置１００の無線通信装置ＩＦ部１４０へ送信する。また、検出装置ＩＦ部２４０が、送信部２１０による送信が終了する時に、制御部２５０の指示に従って、電波送信終了情報を、検出装置１００の無線通信装置ＩＦ部１４０へ送信する。
【０１２５】
そして、前述のＳ９１１の通り、検出装置１００Ｂが、Ｓ９２３で無線通信装置２００Ｂにより送信された無線通信装置２００Ｂの送信周波数と、電波送信開始情報と、電波送信終了情報とを受信する。
【０１２６】
以降、Ｓ９１１〜Ｓ９１７、Ｓ９２１〜Ｓ９２３の処理を繰り返す。
【０１２７】
次に、監視システム３０００における監視方法の設定例について説明する。図１０は、監視システム３０００の監視方法の設定例を説明するための図である。
【０１２８】
前述の通り、複数の監視方法Ａ〜Ｘが、電波強度テーブル１６０に、設定されている。図１０には、その監視方法Ａ〜Ｄの設定例を示す。
【０１２９】
図１０に示されるように、監視方法Ａ〜Ｄには、それぞれ異なる監視停止区間が設けられている。なお、監視方法Ｄには、０（ゼロ）の監視停止区間が設定されている。
【０１３０】
また、図１０に示されるように、各監視方法の各監視停止区間のスタート時間は、無線通信装置２００Ｂの検出装置ＩＦ部２４０が当該無線通信装置２００Ｂの出力電波強度と電波送信開始情報を、検出装置１００Ｂの無線通信装置ＩＦ部１４０へ送信するタイミングに合わせて設定されている。
【０１３１】
図１０には、センサー部１１０により出力される検知信号の一例が示されている。この検知信号には、検知対象を検知した出力ｇ、ｉ（以下、ここでは検知対象検知ｇ、ｉと称する）と、無線通信装置２００Ｂの電波を検知した出力ｈ（以下、ここでは電波による検知ｈと称する）とが、混在しているものとする。
【０１３２】
図１０に示されるように、監視方法Ａの監視停止区間は長く設定されている。また、図１０に示されるように、監視方法Ａでは、電波による検知ｈの後の検知対象検知ｉが監視停止区間に含まれる。したがって、監視方法Ａが制御部１７０により電波強度テーブル１６０から特定された場合、センサー監視部１２０Ｂは検知対象検知ｉを監視できない。
【０１３３】
一方、監視方法Ｂの監視停止区間は、監視方法Ａよりも短く設定されている。監視方法Ｂでは、監視方法Ａと異なり、電波による検知ｈの後の検知対象検知ｉが監視停止区間外である。したがって、監視方法Ｂが制御部１７０により電波強度テーブル１６０から特定された場合、センサー監視部１２０Ｂは検知対象検知ｉを監視できる。
【０１３４】
監視方法Ｃの監視停止区間は、監視方法Ｂよりも更に短く設定されている。監視方法Ｃでは、電波による検知ｈが監視停止区間外に生じている。したがって、監視方法Ｃが制御部１７０により電波強度テーブル１６０から特定された場合、センサー監視部１２０Ｂは検知対象検知ｇ、ｉの双方を監視できるが、電波による検知ｈまで監視してしまう。
【０１３５】
監視方法Ｄの監視停止区間は、設けられていない。したがって、監視方法Ｄが制御部１７０により電波強度テーブル１６０から特定された場合、センサー監視部１２０Ｂは検知対象検知ｇ、ｉの双方を監視できるが、電波による検知ｈまで監視してしまう。
【０１３６】
以上の通り、センサー部１１０が図１０に例示した検知信号を出力する場合、制御部１７０が電波強度テーブル１６０から監視方法Ｂを特定すれば、電波による検知ｈを監視することなく、漏れなく検知対象検知ｇ、ｉの双方を監視することができる。
【０１３７】
なお、無線通信装置２００Ｂの電波を検知した出力は、無線通信装置２００Ｂの送信部２１０が外部へ送信する際に用いる出力電波強度によって、変化する。したがって、無線通信装置２００Ｂの送信部２１０が外部へ送信する際に用いる出力電波強度のレベルである複数の電波強度レベルを電波強度テーブル１６０に予め用意しておき、これら複数の電波強度レベルに合わせた監視方法を設定し、さらに制御部１７０が無線送信装置２００Ｂの送信部２１０が実際に送信する出力電波強度に基づいて監視方法を特定することで、無線通信装置２００Ｂの送信部２１０から出力される電波による検知信号を監視することなく、検知対象を検知した検知信号を監視することができる。
【０１３８】
以上の通り、本発明の第２の実施の形態における監視システム３０００において、送信部２１０の送信に関する情報は、送信部２１０が監視情報の送信を開始する時間である電波送信開始情報と、送信部２１０が監視情報の送信を終了する時間である電波送信終了情報と、送信部２１０が監視情報を送信する際に用いる電波強度である。
【０１３９】
無線通信装置２００Ｂの電波がセンサー部１２０Ｂにより検知された際の出力は、無線通信装置２００の送信部２１０が外部へ送信する際に用いる電波強度によっても、変化することが知られている。また、検出装置１００Ｂは、電波送信開始時間と電波送信終了時間により、無線通信装置２００Ｂの送信部２１０により監視情報が送信されている期間を知ることができる。したがって、センサー監視部１２０Ｂは、送信部２１０の送信に関する情報として、送信部２１０が監視情報を送信する際に用いる電波強度と、電波送信開始時間と、電波送信終了時間に基づいて、検知信号を監視することにより、より正確に、無線通信装置２００Ｂによる無線通信を原因とする誤反応を抑止しつつ、検出対象を継続して監視することができる。
【０１４０】
本発明の第２の実施の形態における監視システム３０００において、検出装置１００Ｂは、電波強度テーブル１６０をさらに備える。この電波強度テーブル１６０は、送信部２１０が監視情報を送信する際に用いることができる複数の電波強度レベルと、センサー監視部１２０Ｂの複数の監視方法とが、互いに対応付けられている。そして、センサー監視部１２０Ｂは、送信部２１０が実際に監視情報を送信した際の電波強度と電波強度テーブル１６０とに基づいて、監視方法を選択し、当該選択した監視方法に基づいて、センサー部１１０により出力される検知信号を監視する。
【０１４１】
これにより、電波強度テーブル１６０には、電波強度レベルと、これに対応した監視方法の様々な組合せを設定することができる。また、センサー監視部１２０Ｂは、予め電波強度テーブル１６０に用意された複数の組合せから、送信部２１０が実際に監視情報を送信した際の電波強度に適した監視方法を選択し、この監視方法で検知信号を監視できる。この結果、センサー監視部１２０Ｂは、より正確に、無線通信装置２００Ｂによる無線通信を原因とする誤反応を抑止しつつ、検出対象を継続して監視することができる。
【０１４２】
本発明の第２の実施の形態における監視システム３０００において、無線通信装置２００Ｂは、電波強度感知部２３０をさらに備える。この電波強度感知部２３０は、送信部２１０が実際に監視情報を送信した際の電波強度を測定する。そして、センサー監視部１２０は、電波強度感知部２３０により測定された電波強度と電波強度テーブル１６０とに基づいて、監視方法を選択し、当該選択した監視方法に基づいて、センサー部１１０により出力された検知信号を監視する。
【０１４３】
これにより、センサー監視部１２０Ｂは、無線通信装置２００Ｂの電波強度感知部２３０による電波強度の実測値を用いて、監視方法を選択することができる。この結果、センサー監視部１２０Ｂは、予め電波強度テーブル１６０に用意された複数の組合せから、無線通信装置２００Ｂの電波強度感知部２３０による出力電波強度の実測値に適した監視方法を選択し、この監視方法で検知信号をより正確に監視できる。
【０１４４】
＜第３の実施の形態＞
本発明の第３の実施の形態における監視システム４０００の構成について、図に基づいて説明する。
【０１４５】
図１１は、本発明の第３の実施の形態における監視システム４０００の構成を示すブロック図である。
【０１４６】
図１１に示されるように、監視システム４０００は、検出装置１００Ｃと、無線通信装置２００Ｃとを含んで構成される。また、図１を用いた説明と同様に、無線通信装置２００Ｃは、センサー台とも呼ばれる検出装置２００Ｃの上に載置することができる。また、検出装置１００Ｃは、検出対象である人間Ａ１などが所定の検知範囲α内に存在するか否かを検出する。また、通信装置２００Ｃは、検出装置１００Ｃで検出した結果を外部へ無線通信する。
【０１４７】
図１１に示されるように、検出装置１００Ｃは、センサー部１１０と、センサー監視部１２０と、メモリ部１３０と、無線通信装置ＩＦ部１４０と、周波数テーブル１５０と、制御部１７０と、周波数感知部１８０を含んで構成されている。また、無線通信装置２００Ｃは、送信部２１０と、検出装置ＩＦ部２４０と、制御部１５０とを含んで備えている。
【０１４８】
ここで、図２と図１１を対比する。図２では、周波数感知部２２０は無線通信装置２００に設けられているのに対して、図１１では、周波数感知部１８０は検出装置１００Ｃに設けられている点で、両者は互いに相違する。
【０１４９】
周波数感知部１８０は、無線通信装置２００Ｃの送信部２１０が実際に監視情報を外部へ無線送信した際の送信周波数を測定する。
【０１５０】
次に、監視システム４０００の動作について図に基づいて説明する。
【０１５１】
図１１は、監視システム４０００の動作の流れを示すフロー図である。ここでは、無線通信装置２００Ｃが、検出装置１００Ｃの上に置かれた状態であるとする。そして、検出装置１００Ｃと無線通信装置２００Ｃが、無線通信装置ＩＦ部１４０および検出装置ＩＦ部２４０を介して、互いに通信できるように有線により接続されているものとする。
【０１５２】
ここで、図３と図１２を対比する。図１２のＳ１２１１ＡおよびＳ１２１１Ｂの処理は、図３のＳ３１１の処理と異なる。また、図３のＳ３２３では、無線送信装置２００は、電波送信開始情報および電波送信終了情報に加えて、送信周波数を検出装置１００へ送信していた。これに対して、図１２のＳ１２２３では、無線送信装置２００Ｃは、送信周波数を送信せず、電波送信開始情報および電波送信終了情報のみを検出装置１００Ｃへ送信する。これらの点で、両者は相違し、これら以外の基本的な処理は、同等である。なお、以下では、図３の各処理と同等の処理は、簡単な説明とする。
【０１５３】
図１２に示されるように、まず、検出装置１００Ｃの周波数感知部１８０が、無線通信装置２００の送信周波数を測定する（Ｓ１２１１Ａ）。
【０１５４】
検出装置１００Ｃの無線通信装置ＩＦ部１４０が、無線通信装置２００Ｃの電波送信開始情報と、電波送信終了情報とを受信する（Ｓ１２１１Ｂ）。
【０１５５】
なお、後述の通り、無線通信装置２００の検出装置ＩＦ部２４０は、無線通信装置２００Ｃの送信部２１０が外部へ監視情報を送信するタイミングに、無線通信装置２００Ｃの電波送信開始情報を、検出装置１００Ｃの無線通信装置ＩＦ部１４０に送信する。また、無線通信装置２００Ｃの検出装置ＩＦ部２４０は、無線通信装置２００Ｃの送信部２１０が外部へ監視情報を送信することを終了するタイミングに、電波送信終了情報を、検出装置１００の無線通信装置ＩＦ部１４０に送信する。したがって、検出装置１００Ｃの無線通信装置ＩＦ部１４０は、無線通信装置２００Ｃが監視情報を外部へ送信するタイミングで、無線通信装置２００Ｃの電波送信開始情報を受信する。また、検出装置１００Ｃの無線通信装置ＩＦ部１４０は、無線通信装置２００Ｃが監視情報を外部へ送信を終了するタイミングで、電波送信終了情報を受信する。
【０１５６】
次に、検出装置１００Ｃの制御部１７０が、周波数感知部１８０により測定された送信周波数に基づいて、周波数テーブル１５０を用いて、センサー監視部１２０の監視方法を特定する（Ｓ１２１２）。より具体的には、制御部１７０は、周波数感知部１８０から受け取った送信周波数に対応する周波数バンドを周波数テーブル１５０から抽出し、この周波数バンドに対応する監視方法を特定する。
【０１５７】
センサー部１１０は、所定の検知範囲α内の検知対象を検知して、検知信号をセンサー監視部１２０へ出力する（Ｓ１２１３）。なお、センサー部１１０は、図１２の動作順にかかわらず、常に動作している。
【０１５８】
次に、センサー監視部１２０は、センサー部１１０により出力される検知信号を、Ｓ１２１２で特定された監視方法を用いて、監視する（Ｓ１２１４）。なお、センサー監視部１２０は、図１２の動作順にかかわらず、センサー部１１０と同様に、常に動作している。センサー監視部１２０は、無線通信装置２００Ｃが監視情報を外部へ送信するタイミングで、Ｓ１２１２で特定された監視方法を実施する。
【０１５９】
制御部１７０は、センサー監視部１２０から出力される監視情報をメモリ部１３０に記録する（Ｓ１２１５）。このようにして、センサー監視部１２０による監視情報が、メモリ部１３０に蓄積される。なお、制御部１７０は、図１２の動作順にかかわらず、センサー監視部１２０から監視情報が入力される度に、順次、監視情報をメモリ部１３０に記録する。
【０１６０】
一方、無線通信装置２００Ｃは、検出装置１００Ｃに対して、監視情報を送信するように、送信要求をする（Ｓ１２２１）。
【０１６１】
検出装置１００Ｃでは、無線通信装置ＩＦ部１４０が、無線通信装置２００Ｃの検出装置ＩＦ部２４０から送信要求を受信する（Ｓ１２１６）。
【０１６２】
次に、検出装置１００Ｃは、無線通信装置２００Ｃに対して、監視情報を送信する（Ｓ３１７）。
【０１６３】
次に、無線通信装置２００Ｃは、監視情報を検出装置１００Ｃから受信する（Ｓ１２２２）。
【０１６４】
次に、無線通信装置２００Ｃは、監視情報を外部へ送信するとともに、当該無線通信装置２００の電波送信開始情報を検出装置１００Ｃへ送信し、監視情報の送信終了時に電波送信終了情報を検出装置１００Ｃへ送信する（Ｓ１２２３）。
【０１６５】
具体的には、制御部２５０が、検出装置ＩＦ部２４０から監視情報を受け取ると、送信部２１０に対して、外部へ監視情報を送信する指示をする。併せて、制御部２５０は、検出装置ＩＦ部２４０に対して、検出装置１００Ｃへ当該無線通信装置２００Ｃの電波送信開始情報を送信するように、指示する。また、制御部２５０は、検出装置ＩＦ部２４０に対して、送信部２１０による送信が終了する時に、送信終了情報を検出装置１００Ｃへ送信するように、指示する。
【０１６６】
送信部２１０は、制御部２５０の指示に従って、監視情報を外部へ送信する。また、この送信のタイミングに合わせて、検出装置ＩＦ部２４０が、制御部２５０の指示に従って、当該無線通信装置２００の電波送信開始情報を、検出装置１００の無線通信装置ＩＦ部１４０へ送信する。また、検出装置ＩＦ部２４０が、送信部２１０による送信が終了する時に、制御部２５０の指示に従って、電波送信終了情報を、検出装置１００Ｃの無線通信装置ＩＦ部１４０へ送信する。
【０１６７】
そして、前述のＳ１２１１Ｂの通り、検出装置１００Ｃが、Ｓ１２２３で無線通信装置２００Ｃにより送信された無線通信装置２００Ｃの電波送信開始情報および電波送信終了情報を受信する。
【０１６８】
以降、Ｓ１２１１Ａ〜Ｓ１２１７、Ｓ１２２１〜Ｓ１２２３の処理を繰り返す。
【０１６９】
以上のように、本発明の第３の実施の形態における監視システム４０００において、検出装置１００Ｃは、周波数感知部１８０を備える。この周波数感知部１８０は、送信部２１０（第３の通信部）が実際に監視情報を送信した際の送信周波数を測定する。また、センサー監視部１２０は、周波数感知部１８０により測定された送信周波数と周波数テーブル１５０とに基づいて、監視方法を選択し、当該選択した監視方法に基づいて、検知信号を監視する。このように、無線通信装置２００Ｃに代えて、検出装置１００Ｃに、周波数感知部１８０を設けてもよい。これにより、本発明の第１の実施の形態で述べた効果と同様の効果を奏する。
【０１７０】
ここで、無線通信装置２００Ｃ以外に他の無線通信装置が、検出装置１００Ｃの周囲に存在する場合を想定する。
【０１７１】
図１３は、複数の無線通信装置が検出装置１００Ｃの周囲に存在する場合について説明するためのブロック図である。
【０１７２】
図１３に示されるように、検出装置１００Ｃの周囲には、無線通信装置１００Ｃの他に、無線通信装置２００Ｘ、無線通信装置２００Ｙおよび無線通信装置２００Ｚが存在する。
【０１７３】
周波数感知部１８０は、検出装置１００Ｃの周囲に存在する無線通信装置２００Ｃ、２００Ｘ、２００Ｙ、２００Ｚの送信周波数を、常に測定している。
【０１７４】
無線通信装置２００Ｃ、または他の無線通信装置２００Ｘ、２００Ｙ、２００Ｚが電波を送信すると、検出装置１００Ｃのセンサー監視部１２０は無線通信装置２００Ｃ、２００Ｘ、２００Ｙ、２００Ｚの送信周波数に対応させて検知信号の監視方法を変更する必要が生じる。
【０１７５】
周波数感知部１８０は、検出装置１００Ｃの周囲に存在する無線通信装置２００Ｃ、２００Ｘ、２００Ｙ、２００Ｚの送信周波数から、監視方法の変更の必要が生じるような変化を感知する。
【０１７６】
制御部１７０は、監視方法の変更の必要が生じるような変化に応じて、周波数テーブル１５０から適切な監視方法を特定する。
【０１７７】
そして、センサー監視部１２０は、特定された監視方法を用いて、センサー部１１０により出力される検知信号を監視する。
【０１７８】
このように、無線通信装置２００Ｃ以外に、他の無線通信装置２００Ｘ、２００Ｙ、２００Ｚが検出装置１００Ｃの周囲に存在した場合であっても、他の無線通信装置２００Ｘ、２００Ｙ、２００Ｚが発する電波を原因に、検出対象を誤検出することを防止できる。
【０１７９】
＜第４の実施の形態＞
本発明の第４の実施の形態における監視システム５０００の構成について、図に基づいて説明する。
【０１８０】
図１４は、本発明の第４の実施の形態における監視システム５０００の構成を示すブロック図である。
【０１８１】
図１４に示されるように、監視システム４０００は、検出装置１００Ｄと、無線通信装置２００Ｄとを含んで構成される。また、図１を用いた説明と同様に、無線通信装置２００Ｄは、センサー台とも呼ばれる検出装置２００Ｄの上に載置することができる。また、検出装置１００Ｄは、検出対象である人間Ａ１などが所定の検知範囲α内に存在するか否かを検出する。また、通信装置２００Ｄは、検出装置１００Ｄで検出した結果を外部へ無線通信する。
【０１８２】
図１４に示されるように、検出装置１００Ｄは、センサー部１１０と、センサー監視部１２０Ｂと、メモリ部１３０と、無線通信装置ＩＦ部１４０と、電波強度テーブル１６０と、制御部１７０と、周波数感知部１８０を含んで構成されている。また、無線通信装置２００Ｄは、送信部２１０と、検出装置ＩＦ部２４０と、制御部１５０とを含んで備えている。
【０１８３】
ここで、図８と図１４を対比する。図８では、電波強度感知部２３０は無線通信装置２００Ｂに設けられているのに対して、図１４では、電波強度感知部１９０は検出装置１００Ｄに設けられている点で、両者は互いに相違する。
【０１８４】
電波強度感知部１９０は、無線通信装置２００Ｄ送信部２１０が実際に監視情報を外部へ無線送信した際の電波強度を測定する。
【０１８５】
次に、監視システム５０００の動作について図に基づいて説明する。
【０１８６】
図１５は、監視システム５０００の動作の流れを示すフロー図である。ここでは、無線通信装置２００Ｄが、検出装置１００Ｄの上に置かれた状態であるとする。そして、検出装置１００Ｄと無線通信装置２００Ｄが、無線通信装置ＩＦ部１４０および検出装置ＩＦ部２４０を介して、互いに通信できるように有線により接続されているものとする。
【０１８７】
ここで、図６と図１５を対比する。図１５のＳ１５１１ＡおよびＳ１５１１Ｂの処理は、図６のＳ６１１の処理と異なる。また、図６のＳ６２３では、無線送信装置２００Ａは、電波送信開始情報および電波送信終了情報に加えて、電波強度を検出装置１００Ａへ送信していた。これに対して、図１５のＳ１５２３では、無線送信装置２００Ｄは、電波強度を送信せず、電波送信開始情報および電波送信終了情報のみを検出装置１００Ｄへ送信する。これらの点で、両者は相違し、これら以外の基本的な処理は、同等である。なお、以下では、図６の各処理と同等の処理は、簡単な説明とする。
【０１８８】
図１５に示されるように、まず、検出装置１００Ｄの電波強度感知部１９０が、無線通信装置２００Ｄの電波強度を測定する（Ｓ１５１１Ａ）。
【０１８９】
検出装置１００Ｄの無線通信装置ＩＦ部１４０が、無線通信装置２００Ｄの電波送信開始情報と、電波送信終了情報とを受信する（Ｓ１５１１Ｂ）。
【０１９０】
なお、後述の通り、無線通信装置２００Ｄの検出装置ＩＦ部２４０は、無線通信装置２００Ｄの送信部２１０が外部へ監視情報を送信するタイミングに、無線通信装置２００Ｄの電波送信開始情報を、検出装置１００Ｄの無線通信装置ＩＦ部１４０に送信する。また、無線通信装置２００Ｄの検出装置ＩＦ部２４０は、無線通信装置２００Ｄの送信部２１０が外部へ監視情報を送信することを終了するタイミングに、電波送信終了情報を、検出装置１００Ｄの無線通信装置ＩＦ部１４０に送信する。したがって、検出装置１００Ｄの無線通信装置ＩＦ部１４０は、無線通信装置２００Ｄが監視情報を外部へ送信するタイミングで、無線通信装置２００Ｄの電波送信開始情報を受信する。また、検出装置１００Ｄの無線通信装置ＩＦ部１４０は、無線通信装置２００Ｄが監視情報を外部へ送信を終了するタイミングで、電波送信終了情報を受信する。
【０１９１】
次に、検出装置１００Ｄの制御部１７０が、電波強度感知部１９０により測定された電波強度に基づいて、電波強度テーブル１６０を用いて、センサー監視部１２０Ｂの監視方法を特定する（Ｓ１５１２）。より具体的には、制御部１７０は、電波強度感知部１９０から受け取った電波強度に対応する電波強度レベルを電波強度テーブル１６０から抽出し、この電波強度レベルに対応する監視方法を特定する。
【０１９２】
センサー部１１０は、所定の検知範囲α内の検知対象を検知して、検知信号をセンサー監視部１２０Ｂへ出力する（Ｓ１５１３）。なお、センサー部１１０は、図１５の動作順にかかわらず、常に動作している。
【０１９３】
次に、センサー監視部１２０Ｂは、センサー部１１０により出力される検知信号を、Ｓ１５１２で特定された監視方法を用いて、監視する（Ｓ１５１４）。なお、センサー監視部１２０Ｂは、図１５の動作順にかかわらず、センサー部１１０と同様に、常に動作している。センサー監視部１２０は、無線通信装置２００Ｄが監視情報を外部へ送信するタイミングで、Ｓ１５１２で特定された監視方法を実施する。
【０１９４】
制御部１７０は、センサー監視部１２０Ｂから出力される監視情報をメモリ部１３０に記録する（Ｓ１５１５）。このようにして、センサー監視部１２０Ｂによる監視情報が、メモリ部１３０に蓄積される。なお、制御部１７０は、図１５の動作順にかかわらず、センサー監視部１２０Ｂから監視情報が入力される度に、順次、監視情報をメモリ部１３０に記録する。
【０１９５】
一方、無線通信装置２００Ｄは、検出装置１００Ｄに対して、監視情報を送信するように、送信要求をする（Ｓ１５２１）。
【０１９６】
検出装置１００Ｄでは、無線通信装置ＩＦ部１４０が、無線通信装置２００Ｄの検出装置ＩＦ部２４０から送信要求を受信する（Ｓ１５１６）。
【０１９７】
次に、検出装置１００Ｄは、無線通信装置２００Ｄに対して、監視情報を送信する（Ｓ５１７）。
【０１９８】
次に、無線通信装置２００Ｄは、監視情報を検出装置１００Ｄから受信する（Ｓ１５２２）。
【０１９９】
次に、無線通信装置２００Ｄは、監視情報を外部へ送信するとともに、当該無線通信装置２００Ｄの電波送信開始情報を検出装置１００Ｄへ送信し、監視情報の送信終了時に電波送信終了情報を検出装置１００Ｄへ送信する（Ｓ１５２３）。
【０２００】
そして、前述のＳ１５１１Ｂの通り、検出装置１００Ｄが、Ｓ１５２３で無線通信装置２００Ｄにより送信された無線通信装置２００Ｄの電波送信開始情報および電波送信終了情報を受信する。
【０２０１】
以降、Ｓ１５１１Ａ〜Ｓ１５１７、Ｓ１５２１〜Ｓ１５２３の処理を繰り返す。
【０２０２】
以上のように、本発明の第４の実施の形態における監視システム５０００において、検出装置１００Ｄは、電波強度感知部１９０を備える。この電波強度感知部１９０は、送信部２１０（第３の通信部）が実際に監視情報を送信した際の電波強度を測定する。また、センサー監視部１２０は、電波強度感知部１９０により測定された電波強度と電波強度テーブル１６０とに基づいて監視方法を選択し、当該選択した監視方法に基づいて検知信号を監視する。これにより、本発明の第２の実施の形態で述べた効果と同様の効果を奏する。
【０２０３】
ここで、無線通信装置２００Ｄ以外に他の無線通信装置が、検出装置１００Ｄの周囲に存在する場合を想定する。
【０２０４】
図１６は、複数の無線通信装置が検出装置１００Ｄの周囲に存在する場合について説明するためのブロック図である。
【０２０５】
図１６に示されるように、検出装置１００Ｄの周囲には、無線通信装置２００Ｄの他に、無線通信装置２００Ｘ、無線通信装置２００Ｙおよび無線通信装置２００Ｚが存在する。
【０２０６】
電波強度感知部１９０は、検出装置１００Ｄの周囲に存在する無線通信装置２００Ｄ、２００Ｘ、２００Ｙ、２００Ｚの送信周波数を、常に測定している。
【０２０７】
無線通信装置２００Ｄ、または他の無線通信装置２００Ｘ、２００Ｙ、２００Ｚが電波を送信すると、検出装置１００Ｄのセンサー監視部１２０Ｂは無線通信装置２００Ｄ、２００Ｘ、２００Ｙ、２００Ｚの送信周波数に対応させて検知信号の監視方法を変更する必要が生じる。
【０２０８】
電波強度感知部１９０は、検出装置１００Ｄの周囲に存在する無線通信装置２００Ｄ、２００Ｘ、２００Ｙ、２００Ｚの送信周波数から、監視方法の変更の必要が生じるような変化を感知する。
【０２０９】
制御部１７０は、監視方法の変更の必要が生じるような変化に応じて、電波強度テーブル１６０から適切な監視方法を特定する。
【０２１０】
そして、センサー監視部１２０Ｂは、特定された監視方法を用いて、センサー部１１０により出力される検知信号を監視する。
【０２１１】
このように、無線通信装置２００Ｄ以外に、他の無線通信装置２００Ｘ、２００Ｙ、２００Ｚが検出装置１００Ｄの周囲に存在した場合であっても、他の無線通信装置２００Ｘ、２００Ｙ、２００Ｚが発する電波を原因に、検出対象を誤検出することを防止できる。
【０２１２】
＜第５の実施の形態＞
本発明の第５の実施の形態における監視システム６０００の構成について、図に基づいて説明する。
【０２１３】
図１７は、本発明の第５の実施の形態における監視システム６０００の構成を示すブロック図である。
【０２１４】
図１７に示されるように、監視システム６０００は、検出装置１００Ｅと、無線通信装置２００Ｅとを含んで構成される。また、図１を用いた説明と同様に、無線通信装置２００Ｅは、センサー台とも呼ばれる検出装置２００Ｅの上に載置することができる。また、検出装置１００Ｅは、検出対象である人間Ａ１などが所定の検知範囲α内に存在するか否かを検出する。また、通信装置２００Ｅは、検出装置１００Ｅで検出した結果を外部へ無線通信する。
【０２１５】
図１７に示されるように、検出装置１００Ｅは、センサー部１１０と、センサー監視部１２０Ｅと、メモリ部１３０と、無線通信装置ＩＦ部１４０と、周波数テーブル１５０と、電波強度テーブル１６０と、制御部１７０とを含んで構成されている。また、無線通信装置２００Ｅは、送信部２１０と、周波数感知部２２０と、電波強度感知部２３０と、検出装置ＩＦ部２４０と、制御部２５０とを含んで備えている。
【０２１６】
ここで、図２と図１７を対比する。図１７では、無線通信装置２００Ｅは電波強度感知部２３０を備えている点で、図２と相違する。
【０２１７】
また、図８と図１７を対比する。図１７では、無線送信装置２００Ｅは周波数感知部２２０を備えている点で、図８と相違する。
【０２１８】
すなわち、図１７では、無線通信装置２００Ｅは、周波数感知部２２０と電波強度感知部２３０の双方を備えている点で、図２および図８と相違する。
【０２１９】
次に、監視システム６０００の動作について図に基づいて説明する。
【０２２０】
図１８は、監視システム６０００の動作の流れを示すフロー図である。ここでは、無線通信装置２００Ｅが、検出装置１００Ｅの上に置かれた状態であるとする。そして、検出装置１００Ｅと無線通信装置２００Ｅが、無線通信装置ＩＦ部１４０および検出装置ＩＦ部２４０を介して、互いに通信できるように有線により接続されているものとする。
【０２２１】
ここで、図３と図１８を対比する。図１８のＳ１８１１およびＳ１８１２の処理は、図３のＳ３１１およびＳ３１２の処理と異なる。また、図１８のＳ１８２３の処理は、図３のＳ３２３の処理と異なる。これらの点で、両者は相違し、これら以外の基本的な処理は、同等である。なお、以下では、図３の各処理と同等の処理は、簡単な説明とする。
【０２２２】
図１８に示されるように、まず、検出装置１００Ｅの無線通信装置ＩＦ部１４０が、無線通信装置２００Ｅの送信周波数と、無線通信装置２００Ｅの電波強度と、電波送信開始情報と、電波送信終了情報とを受信する（Ｓ１８１１）。ここで、送信周波数は、後述のＳ１８２３で送信部２１０が外部へ監視情報を送信する際に実際に用いる周波数である。同様に、電波強度は、後述のＳ１８２３で送信部２１０が外部へ監視情報を送信する際に実際に用いる電波強度である。
【０２２３】
なお、後述の通り、無線通信装置２００Ｅの検出装置ＩＦ部２４０は、無線通信装置２００Ｅの送信部２１０が外部へ監視情報を送信するタイミングに、無線通信装置２００Ｅの送信周波数、無線通信装置２００Ｅの電波強度および電波送信開始情報を、検出装置１００Ｅの無線通信装置ＩＦ部１４０に送信する。また、無線通信装置２００Ｅの検出装置ＩＦ部２４０は、無線通信装置２００Ｅの送信部２１０が外部へ監視情報を送信することを終了するタイミングに、電波送信終了情報を、検出装置１００Ｅの無線通信装置ＩＦ部１４０に送信する。したがって、検出装置１００Ｅの無線通信装置ＩＦ部１４０は、無線通信装置２００Ｅが監視情報を外部へ送信するタイミングで、無線通信装置２００Ｅの送信周波数と、電波強度と、電波送信開始情報を受信する。また、検出装置１００Ｅの無線通信装置ＩＦ部１４０は、無線通信装置２００Ｅが監視情報を外部へ送信を終了するタイミングで、電波送信終了情報を受信する。
【０２２４】
次に、検出装置１００Ｅの制御部１７０が、無線通信装置ＩＦ部１４０により受信した送信周波数および電波強度に基づいて、周波数テーブル１５０および電波強度テーブル１６０を用いて、センサー監視部１２０Ｅの監視方法を特定する（Ｓ１８１２）。
【０２２５】
より具体的には、制御部１７０は、受け取った送信周波数に対応する周波数バンドを周波数テーブル１５０から抽出する。併せて、制御部１７０は、受け取った電波強度に対応する電波強度レベルを電波強度テーブル１６０から抽出する。そして、制御部１７０は、抽出した周波数バンドおよび電波強度レベルの双方に対応する監視方法を特定する。
【０２２６】
例えば、検出装置１００Ｅが、図３で例示した周波数テーブル１５０と、図８で例示した電波強度テーブル１６０を備えていると想定する。この場合において、例えば、制御部１７０が、周波数バンド１と電波強度レベルＢを抽出したとする。このとき、制御部１７０は、周波数バンド１と電波強度レベルＢの双方に対応する監視方法として、監視方法１−Ｂを選択する。なお、監視方法１−Ｂは、監視方法１の設定条件と監視方法Ｂの設定条件とを組み合わせた条件を意味する。組み合わせた条件は、適宜、例えば、周波数テーブル１５０や、電波テーブル１６０や、これらを統合するテーブル（不図示）などに、予め設定できるものとする。
【０２２７】
センサー部１１０は、所定の検知範囲α内の検知対象を検知して、検知信号をセンサー監視部Ｅ１２０へ出力する（Ｓ１８１３）。なお、センサー部１１０は、図１８の動作順にかかわらず、常に動作している。センサー監視部１２０Ｅは、無線通信装置２００Ｅが監視情報を外部へ送信するタイミングで、Ｓ１８１２で特定された監視方法を実施する。
【０２２８】
次に、センサー監視部１２０Ｅは、センサー部１１０により出力される検知信号を、Ｓ１８１２で特定された監視方法を用いて、監視する（Ｓ１８１４）。すなわち、例えば、Ｓ１８１２で、制御部１７０が監視方法１−Ｂを特定した場合、センサー監視部１２０Ｅは、監視方法１−Ｂを用いて、検知信号を監視する。そして、センサー監視部１２０Ｅは、監視された結果として、監視情報を制御部１７０へ出力する。なお、センサー監視部１２０Ｅは、図１８の動作順にかかわらず、センサー部１１０と同様に、常に動作している。
【０２２９】
制御部１７０は、センサー監視部１２０Ｅから出力される監視情報をメモリ部１３０に記録する（Ｓ１８１５）。このようにして、監視情報が、メモリ部１３０に蓄積される。なお、制御部１７０は、図１８の動作順にかかわらず、センサー監視部１２０Ｅから監視情報が入力される度に、順次、監視情報をメモリ部１３０に記録する。
【０２３０】
一方、無線通信装置２００Ｅは、検出装置１００Ｅに対して、監視情報を送信するように、送信要求をする（Ｓ１８２１）。
【０２３１】
検出装置１００Ｅでは、無線通信装置ＩＦ部１４０が、無線通信装置２００Ｅの検出装置ＩＦ部２４０から送信要求を受信する（Ｓ１８１６）。無線通信装置ＩＦ部１４０は、制御部１７０へ送信要求を出力する。
【０２３２】
次に、検出装置１００Ｅは、無線通信装置２００Ｅに対して、監視情報を送信する（Ｓ１８１７）。
【０２３３】
次に、無線通信装置２００Ｅは、監視情報を検出装置１００Ｅから受信する（Ｓ１８２２）。
【０２３４】
次に、無線通信装置２００Ｅは、監視情報を外部へ送信するとともに、当該無線通信装置２００の送信周波数と電波強度と電波送信開始情報を検出装置１００Ｅへ送信し、監視情報の送信終了時に電波送信終了情報を検出装置１００Ｅへ送信する（Ｓ１８２３）。
【０２３５】
具体的には、制御部２５０が、検出装置ＩＦ部２４０から監視情報を受け取ると、送信部２１０に対して、外部へ監視情報を送信する指示をする。併せて、制御部２５０は、検出装置ＩＦ部２４０に対して、検出装置１００Ｅへ無線通信装置２００Ｅの送信周波数と、無線通信装置２００Ｅの電波強度と、電波送信開始情報とを送信するように、指示する。また、制御部２５０は、検出装置ＩＦ部２４０に対して、送信部２１０による送信が終了する時に、電波送信終了情報を検出装置１００Ｅへ送信するように、指示する。
【０２３６】
送信部２１０は、制御部２５０の指示に従って、監視情報を外部へ送信する。また、この送信のタイミングに合わせて、検出装置ＩＦ部２４０が、制御部２５０の指示に従って、当該無線通信装置２００Ｅの送信周波数と電波強度と電波送信開始情報を、検出装置１００Ｅの無線通信装置ＩＦ部１４０へ送信する。また、検出装置ＩＦ部２４０が、送信部２１０による送信が終了する時に、制御部２５０の指示に従って、電波送信終了情報を、検出装置１００Ｅの無線通信装置ＩＦ部１４０へ送信する。
【０２３７】
そして、前述のＳ１８１１の通り、検出装置１００Ｅが、Ｓ１８２３で無線通信装置２００Ｅにより送信された無線通信装置２００Ｅの送信周波数と電波強度と電波送信開始情報と電波送信終了情報とを受信する。
【０２３８】
以降、Ｓ１８１１〜Ｓ１８１７、Ｓ１８２１〜Ｓ１８２３の処理を繰り返す。
【０２３９】
以上の通り、本発明の第５の実施の形態における監視システム６０００において、送信部２１０の送信に関する情報は、送信部２１０が監視情報の送信を開始する時間である電波送信開始情報と、送信部２１０が監視情報の送信を終了する時間である電波送信終了情報と、送信部２１０が監視情報を送信する際に用いる送信周波数と、送信部２１０が監視情報を送信する際に用いる電波強度である。
【０２４０】
無線通信装置２００Ｅの電波がセンサー部１２０により検知された際の出力は、無線通信装置２００Ｅの送信部２１０が外部へ送信する際に用いる送信周波数および電波強度によって、変化することが知られている。また、検出装置１００Ｅは、電波送信開始時間と電波送信終了時間により、無線通信装置２００Ｅの送信部２１０により監視情報が送信されている期間を知ることができる。したがって、センサー監視部１２０Ｅは、送信部２１０の送信に関する情報として、送信部２１０が監視情報を送信する際に用いる送信周波数および電波強度と、電波送信開始時間と、電波送信終了時間に基づいて、検知信号を監視することにより、より正確に、無線通信装置２００Ｅによる無線通信を原因とする誤反応を抑止しつつ、検出対象を継続して監視することができる。
【０２４１】
本発明の第５の実施の形態における監視システム６０００において、検出装置１００Ｅは、周波数テーブル１５０と電波強度テーブル１６０を備える。この周波数テーブル１５０は、送信部２１０が監視情報を送信する際に用いることができる複数の送信周波数バンドと、センサー監視部１２０Ｅの複数の監視方法とが、互いに対応付けられている。そして、センサー監視部１２０Ｅは、送信部２１０が実際に監視情報を送信した際の送信周波数および電波強度と、周波数テーブル１５０と、電波強度テーブル１６０とに基づいて、監視方法を選択し、当該選択した監視方法に基づいて、センサー部１１０により出力される検知信号を監視する。
【０２４２】
これにより、周波数テーブル１５０には、送信周波数バンドと、これに対応する監視方法の様々な組合せを設定することができる。また、電波強度テーブル１６０には、電波強度レベルと、これに対応した監視方法の様々な組合せを設定することができる。また、センサー監視部１２０Ｅは、予め周波数テーブル１５０および電波強度テーブル１６０に用意された複数の組合せから、送信部２１０が実際に監視情報を送信した際の送信周波数および電波強度に適した監視方法を選択し、この監視方法で検知信号を監視できる。この結果、センサー監視部１２０は、より正確に、無線通信装置２００Ｅによる無線通信を原因とする誤反応を抑止しつつ、検出対象を継続して監視することができる。
【実施例】
【０２４３】
本発明の第１の実施の形態における監視システム１０００の実施例について図に基づいて説明する。
【０２４４】
図１９は、監視システム１０００の実施例の構成を示す図である。
【０２４５】
図１９に示す各構成要素は、図２に示した各構成要素に対応する。そして、図１９では、より具体的な設定例を周波数テーブル１５０内の表に示している。
【０２４６】
図１９に示されるように、無線通信装置２００は、５００ＭＨｚ、１ＧＨｚおよび５ＧＨｚのいずれかの周波数帯を用いるものとする。すなわち、無線通信装置１００は、検出装置１００のセンサー監視部１２０の監視結果を、５００ＭＨｚ（周波数バンド１とする。）、１ＧＨｚ（周波数バンド２とする。）および５ＧＨｚ（周波数バンド４とする。）のいずれかの周波数帯を用いて、外部へ送信することができる。
【０２４７】
周波数テーブル１５０には、無線通信装置１００の使用周波数帯に合わせて、周波数バンド１に周波数５００ＭＨｚ、周波数バンド２には周波数１ＧＨｚ、周波数バンド４には周波数５ＧＨｚが、設定されている。また、監視方法として、周波数バンド１には「監視停止  １０秒」、周波数バンド２には「監視停止  ５秒」、周波数バンド４には「監視停止  無し」が対応付けられている。なお、検出装置１００のセンサー監視部１２０は、５００ＭＨｚの周波数に対して誤検知しやすく、１ＧＨｚの周波数に対して誤検知することはあるがセンサー部１１０の出力時間が短く、５ＧＨｚの周波数に対して誤検知しないという特徴があったとする。
【０２４８】
なお、「監視停止  １０秒」の監視方法では、センサー監視部１２０が、制御部１７０に制御の下、無線通信装置２００が外部へ監視情報を送信するタイミングから１０秒の間、センサー部１１０により出力される検知信号の監視を停止する。同様に、「監視停止  ５秒」の監視方法では、センサー監視部１２０が、制御部１７０に制御の下、無線通信装置２００が外部へ監視情報を送信するタイミングから５秒の間、検知信号の監視を停止する。「監視停止  無し」の監視方法では、センサー監視部１２０が、制御部１７０に制御の下、検知信号の監視を停止することなく、継続する。
【０２４９】
このように、周波数テーブル１５０には、無線通信装置２００の送信部２４０が監視情報を外部に送信する際に用いることができる送信周波数の帯域である複数の送信周波数バンドと、センサー監視部１２０の複数の監視方法とが、互いに対応付けて記憶されている。
【０２５０】
次に、監視システム１０００の実施例の動作について、図１９および図３に基づいて説明する。
【０２５１】
ここでは、無線通信装置２００が、検出装置１００の上に置かれた状態であるとする。そして、検出装置１００と無線通信装置２００が、無線通信装置ＩＦ部１４０および検出装置ＩＦ部２４０を介して、互いに通信できるように有線により接続されているものとする。
【０２５２】
また、図１９に示されるように、無線通信装置２００の送信部２１０は、１ＧＨｚを用いて、外部へ監視情報を送信しているとする。
【０２５３】
すなわち、Ｓ３２３の処理では、無線通信装置２００は、監視情報を外部へ１ＧＨｚ（周波数バンド２）を用いて送信する。また、無線通信装置２００は、検出装置１００に対して、送信周波数として１ＧＨｚを送信し、電波送信開始情報を送信する。また、無線通信装置２００は、監視情報の送信終了時に電波送信終了情報を検出装置１００へ送信する
そして、検出装置１００の無線通信装置ＩＦ部１４０が、無線通信装置２００の送信周波数１ＧＨｚと、電波送信開始情報と、電波送信終了情報とを受信する（Ｓ３１１）。なお、前述の図３を用いた説明の通り、検出装置１００の無線通信装置ＩＦ部１４０は、無線通信装置２００が監視情報を外部へ送信するタイミングで、無線通信装置２００の送信周波数と、電波送信開始情報を受信する。また、検出装置１００の無線通信装置ＩＦ部１４０は、無線通信装置２００が監視情報を外部へ送信を終了するタイミングで、電波送信終了情報を受信する。
【０２５４】
次に、検出装置１００の制御部１７０が、無線通信装置ＩＦ部１４０により受信した送信周波数１ＧＨｚに基づいて、周波数テーブル１５０を用いて、センサー監視部１２０の監視方法を特定する（Ｓ３１２）。すなわち、制御部１７０は、受け取った送信周波数１ＧＨｚに対応する周波数バンド２を周波数テーブル１５０から抽出し、この周波数バンド２に対応する監視方法「監視停止  
２秒」を特定する。
【０２５５】
センサー部１１０は、所定の検知範囲α内の検知対象を検知して、検知信号をセンサー監視部１２０へ出力する（Ｓ３１３）。なお、前述の通り、センサー部１１０は、図３の動作順にかかわらず、常に動作している。センサー監視部１２０は、無線通信装置２００が監視情報を外部へ送信するタイミングで、Ｓ３１２で特定された監視方法「監視停止  ２秒」を実施する。
【０２５６】
次に、センサー監視部１２０は、センサー部１１０により出力される検知信号を、Ｓ３１２で特定された監視方法「監視停止  ２秒」を用いて、監視する（Ｓ３１４）。なお、前述の通り、センサー監視部１２０は、図３の動作順にかかわらず、センサー部１１０と同様に、常に動作している。
【０２５７】
制御部１７０は、センサー監視部１２０から出力される監視情報をメモリ部１３０に記録する（Ｓ３１５）。このようにして、センサー監視部１２０による監視情報が、メモリ部１３０に蓄積される。なお、前述の通り、制御部１７０は、図３の動作順にかかわらず、センサー監視部１２０から監視情報が入力される度に、順次、監視情報をメモリ部１３０に記録する。
【０２５８】
一方、無線通信装置２００は、検出装置１００に対して、監視情報を送信するように、送信要求をする（Ｓ３２１）。
【０２５９】
検出装置１００では、無線通信装置ＩＦ部１４０が、無線通信装置２００の検出装置ＩＦ部２４０から送信要求を受信する（Ｓ３１６）。
【０２６０】
次に、検出装置１００は、無線通信装置２００に対して、監視情報をメモリ部１３０から抽出して、これを送信する（Ｓ３１７）。
【０２６１】
次に、無線通信装置２００は、監視情報を検出装置１００から受信する（Ｓ３２２）。
【０２６２】
次に、無線通信装置２００は、監視情報を外部へ送信するとともに、当該無線通信装置２００の送信周波数と電波送信開始情報を検出装置１００へ送信し、監視情報の送信終了時に電波送信終了情報を検出装置１００へ送信する（Ｓ３２３）。このＳ３２３の処理は、前述の通りである。
【０２６３】
以降、Ｓ３１１〜Ｓ３１７、Ｓ３２１〜Ｓ３２３の処理を繰り返す。
【０２６４】
次に、監視システム１０００における監視方法の設定例について説明する。図２０は、監視システム１０００における監視方法の実施例を説明するための図である。
【０２６５】
無線通信装置２００の送信部２１０が外部へ監視情報を送信する際にセンサー部１１０が出力する検知信号を、図２０のセンサー部１１０の周波数（５００ＭＨｚ、１ＧＨｚ、５ＧＨｚ）別の出力の欄に示す。
【０２６６】
ここでは、図２０に示されるように、無線通信装置２００の送信時間を同じとして仮定する。周波数が５００ＭＨｚの場合、センサー部１１０が信号を出力する時間は、１ＧＨｚと比較して長く、７秒程度であったとする。周波数が１ＧＨｚの場合、センサー部１１０が信号を出力する時間は、５００ＭＨｚと比較して短く、３秒程度であったとする。周波数５ＧＨｚの場合、センサー部１１０は無線通信装置２００からの送信信号を検知しないとする。
【０２６７】
無線通信装置２００の送信部２１０が５００ＭＨｚを使用して監視情報を送信する場合において、当該無線通信装置２００の送信部２１０から出力される電波によってセンサー監視部１２０が誤検知することを防止するためには、図２０の監視方法１に示されるように、１０秒程度の監視停止区間を設ける必要がある。これに対して、無線通信装置２００の送信部２１０が１ＧＨｚを使用する場合には、図２０の監視方法２に示されるように、５秒程度の監視停止区間を設ければ、送信部２１０から出力される電波によってセンサー監視部１２０が誤検知することを防止できる。また、無線通信装置２００の送信部２１０が５ＧＨｚを使用する場合には、センサー部１１０は無線通信装置２００からの送信信号を検知しないので、監視停止区間を設ける必要がない。
【０２６８】
このようにして、センサー監視部２１０の監視方法を、無線通信装置２００の送信周波数に応じて、周波数テーブル１５０に設定すればよい。
【０２６９】
図２０の下段には、送信周波数バンドに応じた監視方法として、監視方法１、２、４の設定例を図示する。
【０２７０】
図２０に示されるように、監視方法１「監視停止  １０秒」には、監視停止区間１０秒が設定されている。監視方法２「監視停止  ５秒」には、監視停止区間５秒が設定されている。監視方法４「監視停止  無し」には、監視停止区間が設定されていない。
【０２７１】
また、図２０に示されるように、各監視方法の各監視停止区間の開始時間は、無線通信装置２００の検出装置ＩＦ部２４０が当該無線通信装置２００の送信周波数と電波送信開始情報を、検出装置１００の無線通信装置ＩＦ部１４０へ送信するタイミングに合わせて設定されている。
【０２７２】
前述の通り、監視方法１（バンド１）には、送信部２１０の送信周波数５００ＭＨｚに対応して、１０秒間の監視停止区間が設定されている。監視方法２（バンド２）には、送信部２１０の送信周波数１ＧＨｚに対応して、２秒間の監視停止区間が設定されている。監視方法４（バンド４）には、送信部２１０の送信周波数５ＧＨｚに対応して、監視停止区間は設けられていない。
【０２７３】
そして、例えば、無線通信装置２００の送信部２１０が１ＧＨｚを使用して監視情報を送信する場合、センサー部１１０が信号を出力する時間は３秒程度であるので、監視停止期間が５秒間の監視方法２が最も適している。制御部１７０は、無線通信装置１００の送信部の送信周波数１ＧＨｚに対応する周波数バンド２を周波数テーブル１５０から抽出し、この周波数バンド２に対応する監視方法２を選択する。
【０２７４】
このように、無線通信装置２００の送信部２１０の送信周波数に応じて、監視停止時間を変えた複数の監視方法を周波数テーブル１５０に設定することにより、無線通信装置２００の送信部２１０から出力される電波による検知信号を監視することなく、検知対象を検知した検知信号を監視することができる。
【０２７５】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【０２７６】
また、前記の第１〜第５の実施形態の一部又は全部は、以下のようにも記載されうるが、以下に限られない。
［付記１］
検出対象が所定の検知範囲内に存在するか否かを検出する検出装置と、前記検出装置で検出した結果を外部へ無線通信する通信装置とを有し、
検出装置は、
前記所定の検知範囲内の前記検出対象から発せられる赤外光を電気信号に変換して、この電気信号を検知信号として出力するセンサー部と、
前記センサー部により出力される検知信号を監視するセンサー監視部と、
前記センサー監視部により監視された結果である監視情報を前記通信装置へ送信する第１の通信部とを備え、
前記通信装置は、
前記第１の通信部により送信される前記監視情報を受信する第２の通信部と、
前記第２の通信部により受信された監視情報を外部へ無線送信する第３の通信部とを備え、
前記センサー監視部は、前記第３の通信部の送信に関する情報に基づいて、前記検知信号を監視する監視システム。
［付記２］
前記第３の通信部の送信に関する情報は、前記第３の通信部が前記監視情報の送信を開始する時間である送信開始情報と、前記第３の通信部が前記監視情報の送信を終了する時間である送信終了情報と、前記第３の通信部が前記監視情報を送信する際に用いる送信周波数である付記１に記載の監視システム。
［付記３］
前記検出装置は、前記第３の通信部が前記監視情報を送信する際に用いることができる複数の送信周波数バンドと、前記センサー監視部の複数の監視方法とが、互いに対応付けられた周波数テーブルを備え、
前記センサー監視部は、前記第３の通信部が実際に前記監視情報を送信した際の送信周波数と前記周波数テーブルとに基づいて、前記監視方法を選択し、当該選択した前記監視方法に基づいて、前記検知信号を監視する付記２に記載の監視システム。
［付記４］
前記通信装置は、前記第３の通信部が実際に前記監視情報を送信した際の送信周波数を測定する周波数感知部を備え、
前記センサー監視部は、前記周波数感知部により測定された送信周波数と前記周波数テーブルとに基づいて、前記監視方法を選択し、当該選択した前記監視方法に基づいて、前記検知信号を監視する付記３に記載の監視システム。
［付記５］
前記検出装置は、前記第３の通信部が実際に前記監視情報を送信した際の送信周波数を測定する周波数感知部を備え、
前記センサー監視部は、前記周波数感知部により測定された送信周波数と前記周波数テーブルとに基づいて、前記監視方法を選択し、当該選択した前記監視方法に基づいて、前記検知信号を監視する付記３に記載の監視システム。
［付記６］
前記第３の通信部の送信に関する情報は、前記第３の通信部が前記監視情報の送信を開始する時間である送信開始情報と、前記第３の通信部が前記監視情報の送信を終了する時間である送信終了情報と、前記第３の通信部が前記監視情報を送信する際の電波強度である付記１に記載の監視システム。
［付記７］
前記検出装置は、前記第３の通信部が前記監視情報を送信する際に用いることができる複数の電波強度レベルと、前記センサー監視部の複数の監視方法とが、互いに対応付けられた電波強度テーブルを備え、
前記センサー監視部は、前記第３の通信部が実際に前記監視情報を送信した際の電波強度と前記電波強度テーブルとに基づいて、前記監視方法を選択し、当該選択した前記監視方法に基づいて、前記検知信号を監視する付記６に記載の監視システム。
［付記８］
前記通信装置は、前記第３の通信部が実際に前記監視情報を送信した際の電波強度を測定する電波強度感知部を備え、
前記センサー監視部は、前記電波強度感知部により測定された電波強度と前記電波強度テーブルとに基づいて、前記監視方法を選択し、当該選択した前記監視方法に基づいて、前記検知信号を監視する付記７に記載の監視システム。
［付記９］
前記検出装置は、前記第３の通信部が実際に前記監視情報を送信した際の電波強度を測定する電波強度感知部を備え、
前記センサー監視部は、前記電波強度感知部により測定された電波強度と前記電波強度テーブルとに基づいて、前記監視方法を選択し、当該選択した前記監視方法に基づいて、前記検知信号を監視する付記７に記載の監視システム。
［付記１０］
検出対象が所定の検知範囲内に存在するか否かを検出装置により検出し、前記検出装置で検出した結果を通信装置により外部へ無線通信する監視方法であって、
前記検出装置が、前記所定の検知範囲内の検出対象から発せられる赤外光を電気信号に変換して、この電気信号を検知信号として出力する検知テップと、
前記検出装置が、前記検知ステップにより出力される前記検知信号を監視する監視ステップと、
前記検出装置が、前記監視ステップにより監視された結果である監視情報を前記通信装置へ送信する第１の通信ステップと、
前記通信装置が、前記第１の通信ステップにより送信される前記監視情報を受信する第２の通信ステップと、
前記通信装置が、前記第２の通信ステップにより受信された監視情報を外部へ送信する第３の通信ステップを含み、
前記監視ステップでは、前記第３の通信部の送信に関する情報に基づいて、前記検知信号を監視する監視方法。
［付記１１］
前記第３の通信部の送信に関する情報は、前記第３の通信部が前記監視情報の送信を開始する時間である送信開始情報と、前記第３の通信部が前記監視情報の送信を終了する時間である送信終了情報と、前記第３の通信部が前記監視情報を送信する際に用いる送信周波数と、前記第３の通信部が前記監視情報を送信する際の電波強度である付記１に記載の監視システム。
［付記１２］
前記検出装置は、
前記第３の通信部が前記監視情報を送信する際に用いることができる複数の送信周波数バンドと、前記センサー監視部の複数の監視方法とが、互いに対応付けられた周波数テーブルと、
前記第３の通信部が前記監視情報を送信する際に用いることができる複数の電波強度レベルと、前記センサー監視部の複数の監視方法とが、互いに対応付けられた電波強度テーブルとを備え、
前記センサー監視部は、前記第３の通信部が実際に前記監視情報を送信した際の送信周波数および電波強度と、前記周波数テーブルと、前記電波強度とに基づいて、前記監視方法を選択し、当該選択した前記監視方法に基づいて、前記検知信号を監視する付記１１に記載の監視システム。
【符号の説明】
【０２７７】
１００  検出装置
１００Ａ  検出装置
１００Ｂ  検出装置
１００Ｃ  検出装置
１００Ｄ  検出装置
１００Ｅ  検出装置
１１０  センサー部
１２０  センサー監視部
１２０Ａ  センサー監視部
１２０Ｂ  センサー監視部
１２０Ｅ  センサー監視部
１３０  メモリ部
１４０  無線通信装置ＩＦ部
１５０  周波数テーブル
２００  無線通信装置
２００Ａ  無線通信装置
２００Ｂ  無線通信装置
２００Ｃ  無線通信装置
２００Ｄ  無線通信装置
２００Ｅ  無線通信装置
２１０  送信部
２２０  周波数感知部
２４０  検出装置ＩＦ部
２５０  制御部
１０００  監視システム
２０００  監視システム
３０００  監視システム
４０００  監視システム
５０００  監視システム
６０００  監視システム
【図１】
0005624072.tif 000002
【図２】
0005624072.tif 000003
【図３】
0005624072.tif 000004
【図４】
0005624072.tif 000005
【図５】
0005624072.tif 000006
【図６】
0005624072.tif 000007
【図７】
0005624072.tif 000008
【図８】
0005624072.tif 000009
【図９】
0005624072.tif 000010
【図１０】
0005624072.tif 000011
【図１１】
0005624072.tif 000012
【図１２】
0005624072.tif 000013
【図１３】
0005624072.tif 000014
【図１４】
0005624072.tif 000015
【図１５】
0005624072.tif 000016
【図１６】
0005624072.tif 000017
【図１７】
0005624072.tif 000018
【図１８】
0005624072.tif 000019
【図１９】
0005624072.tif 000020
【図２０】
0005624072.tif 000021